(57)【要約】【課題】電波吸収体層（例えばフェライト層）を用いないカードホルダーであって、２〜４枚の非接触式ＩＣカードを収納したカードホルダーにおいて、カードリーダ面にカードホルダーの全面の表裏どちら側をかざしても、他のＩＣカードとの混信が発生しないカードホルダーであって、携帯時に複数のＩＣカードを導電体カード保持シートに積層し、スキミング防止が完全であり、製造費が安価な構造のカードホルダーを提供する。【解決手段】２〜４枚の長方形状のＩＣカード保持シート及び１枚の導電体カード保持シートとからなり、各ＩＣカード保持シートの長方形状の１辺は、導電体カード保持シートの連結部を介して導電体カード保持シートの辺に連結されてなり、嵌合形式の固定手段によってＩＣカード保持シートと導電体カード保持シートからなる積層構造を脱着自在に固定することによって、ＩＣカード保持シートと導電体カード保持シートとの一体的携帯時の積層構造を形成し、目的のＩＣカードのみを積層領域から取り出せる構造にする。【選択図】図１
2010020392.tif 000002
【特許請求の範囲】
【請求項１】
２枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの表面側に積層され、他方は導電体カード保持シートの裏面側に積層されるものであって、２枚のＩＣカード保持シートの内面には、導電体カード保持シート面を脱着自在に固定する嵌合形式の固定手段が設けてなり、該嵌合形式の固定手段がＩＣカード保持シートと導電体カード保持シートの積層時に当接する導電体カード保持シートの表面及び裏面の位置に前記嵌合形式の固定手段に嵌合する固定手段を有し、導電体カード保持シートを中間にして、導電体カード保持シートの表面側に１枚のＩＣカード保持シートを積層固定し、導電体カード保持シートの裏面側に他の１枚のＩＣカード保持シートを積層固定し、合計３枚の積層状態にして携帯できることを特徴とする非接触式ＩＣカードホルダー。
【請求項２】
２枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は積層された前記ＩＣカード保持シートの上に積層されるものであって、２枚のＩＣカード保持シートの少なくとも一方の内面の先端縁には、導電体カード保持シート面を脱着自在に固定する嵌合形式の固定手段が設けてなり、該嵌合形式の固定手段が導電体カード保持シートにＩＣカード保持シートを重ねた場合に該固定手段に嵌合する固定手段が導電体カード保持シート面に設けられてなり、さらに、該嵌合形式の固定手段が他方のＩＣカード保持シートとの積層時に当接する他方のＩＣカード保持シートの外面の位置に前記嵌合形式の固定手段に嵌合する固定手段を有し、導電体カード保持シートの内面側に、２枚のＩＣカード保持シートを２辺の連結部で折り重ねて積層固定し、合計３枚の積層状態にして携帯できることを特徴とする非接触式ＩＣカードホルダー。
【請求項３】
２枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は積層された前記ＩＣカード保持シートの上に積層されるものであって、２枚のＩＣカード保持シートの少なくとも一方の内面の先端縁には、導電体カード保持シート面を脱着自在に固定する嵌合形式の固定手段が設けてなり、該嵌合形式の固定手段が他方のＩＣカード保持シートの上に積層したときに当接する他方のＩＣカード保持シートの外面の位置に前記嵌合形式の固定手段に嵌合する固定手段を有し、導電体カード保持シートの内面側に、２枚のＩＣカード保持シートを左右から折り重ねて積層固定し、合計３枚の積層状態にして携帯できることを特徴とする非接触式ＩＣカードホルダー。
【請求項４】
２枚の長方形状のＩＣカード保持シート及び該ＩＣカード保持シートと略同寸同形の導電体カード保持シート１枚とからなり、２枚のＩＣカード保持シートの長方形状の１辺は、導電体カード保持シートの同一の長さの隣接する２辺との間の屈折自在の連結部を介して連結されてなり、２枚の長方形状のＩＣカード保持シートが導電体カード保持シートの片面に積層され、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面側の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートの内面側に、２枚のＩＣカード保持シートを縦横方向から折り重ねて積層固定し、合計３枚の積層状態にして携帯できることを特徴とする非接触式ＩＣカードホルダー。
【請求項５】
３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの表面又は裏面に、ＩＣカード保持シート面を重合積層した場合に、導電体カード保持シートの面とＩＣカード保持シート面とを脱着自在に固定する嵌合形式の固定手段を有し、導電体カード保持シートの片面に２枚のＩＣカード保持シートを重合積層するときは、さらに、既に積層されたＩＣカード保持シートの外面とその上に積層するＩＣカード保持シートの内面とを脱着自在に固定する固定手段を有し、導電体カード保持シートを中間にして、導電体カード保持シートの表面側に１〜２枚のＩＣカード保持シートを積層し、導電体カード保持シートの裏面側に１〜２枚のＩＣカード保持シートを積層し、合計４〜５枚の積層状態にして携帯できることを特徴とする非接触式ＩＣカードホルダー。
【請求項６】
３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの面に２枚のＩＣカード保持シートが積層重合される場合は、該２枚のＩＣカード保持シートは導電体カード保持シートの隣接する２辺に連結されていて、ＩＣカード保持シートから導電体カード保持シートを介して他方のＩＣカード保持シートにＬ字型に連結されてなり、該２枚のＩＣカード保持シートの先端縁には、導電体カード保持シートの面と固定する嵌合形式の脱着自在の固定手段を有し、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートを中間にして、導電体カード保持シートの表面側に１〜２枚のＩＣカード保持シートを固定し、導電体カード保持シートの裏面側に１〜２枚のＩＣカード保持シートを固定し、合計４〜５枚の積層状態にして携帯できることを特徴とする非接触式ＩＣカードホルダー。
【請求項７】
保持シート面の嵌合形式の嵌合固定手段が、１組の面ファスナーである請求項１〜６のいずれか記載の非接触式ＩＣカードホルダー。
【請求項８】
面ファスナーがテープ状面ファスナーである請求項７記載の非接触式ＩＣカードホルダー。
【請求項９】
保持シート面の嵌合形式の固定手段が１組の凹凸条嵌合型ジッパーである請求項１〜６のいずれか記載の非接触式ＩＣカードホルダー。
【請求項１０】
導電体カード保持シートの導電体カードが中央部に孔がある金属板である請求項１〜９のいずれか記載の非接触式ＩＣカードホルダー。
【請求項１１】
嵌合形式の固定手段が保持シート面の周縁に設けた請求項１〜１０のいずれか記載の非接触式ＩＣカードホルダー。
【請求項１２】
ＩＣカード保持シート及び導電体カード保持シートの材質がポリプロピレン樹脂シートである請求項１〜１１のいずれか記載の非接触式ＩＣカードホルダー。
【請求項１３】
ＩＣカード保持シート及び導電体カード保持シートの材質が皮又は合成皮革シートである請求項１〜１２のいずれか記載の非接触式ＩＣカードホルダー。
【請求項１４】
２〜４枚の長方形状のＩＣカード保持シート及び該ＩＣカード保持シートと略同寸同形の中央部に貫通孔を有する導電体カード保持シート１枚とからなり、各ＩＣカード保持シートの長方形状の１辺は、導電体カード保持シートの同一の長さの１辺との間の屈折自在の連結部を介して連結されていて、２〜４枚のＩＣカード保持シートの中の１〜２枚のＩＣカード保持シートは導電体カード保持シートの一方の面側に重合積層され、さらに、１〜２枚のＩＣカード保持シートは導電体カード保持シートの他方の面に振り分けて重合積層されるものであって、該積層中の導電体カード保持シートの表裏に直接積層される２枚のＩＣカード保持シートの内面の中央部には、ＩＣカード保持シート同士が互いに嵌合する脱着自在の固定手段を有し、該固定手段によって２枚のＩＣカード保持シートを導電体カード保持シートの貫通孔の位置で嵌合固定されて、導電体カード保持シートを中間にして合計３枚の積層状態を積層中に保有し、ＩＣカード保持シートを３〜４枚有する場合において、導電体カード保持シートの片面に２枚のＩＣカード保持シートが上下に積層されるとき、上層側のＩＣカード保持シートの内面及び下層側のＩＣカード保持シートの外面に互いに嵌合する脱着自在の固定手段を有し、合計３〜５枚の積層状態にして携帯できることを特徴とする非接触式ＩＣカードホルダー。
【請求項１５】
固定手段が面ファスナーである請求項１４記載の非接触式ＩＣカードホルダー。
【発明の詳細な説明】
【技術分野】
【０００１】
本発明は、複数の非接触式ＩＣカードをまとめてカードホルダーに収納した場合、カードホルダーから非接触式ＩＣカードを取り出さないでカードホルダーに入れたまま、カードリーダ面にかざして使用する時に生じる、収納されている複数のＩＣカードの読み取りエラーを防止することができる非接触式ＩＣカードホルダーに関する。
【背景技術】
【０００２】
近年、カードリーダ面にかざすだけで、非接触式でカードリーダ面に設けられたアンテナ（以下リーダアンテナという）から発信された磁力線の信号と交信することができる非接触式ＩＣカードが普及してきている。
現在、非接触式ＩＣカードは種類等、異なるものが複数共存している。そのため、２枚以上の非接触式ＩＣカードを、例えば定期入れなどのカードケースに重ねて入れて持ち歩く機会が多くなっている。
この場合、定期入れ又はカードホルダーに２枚以上の非接触式ＩＣカードを収納したままカードリーダ面にかざすと、非接触式であるために、２枚以上の非接触式ＩＣカードが同時にカードリーダと交信することとなり、読み取りエラーが生じる問題がある。
このような問題を解決するために、従来技術としては、該導電体シートの両側に、フェライト等の電波吸収体（磁性体）層を設け、その電波吸収体層の両側の面に、２枚の非接触式ＩＣカードを３枚積層してカード入れに収納し、使用時には使用すべきＩＣカードの表面になる側を選択して、カードリーダ面にかざして使用するものが知られている（特許文献１及び特許文献２）。
これらの従来技術のカードホルダーは、収納されている２枚の非接触式ＩＣカードの間の導電体カード（金属シート又は金属粉混合樹脂シートなどをカード状に成形したものをいう）は、例えば、特許文献２に見られるように、非接触式ＩＣカードの寸法よりも導電体カードの寸法を大きくして、カードリーダ面から見て、導電体カードの反対側にある非接触式ＩＣカードと、リーダアンテナからの磁力線を幾何学的に遮断して反対側の非接触式ＩＣカードが作動しないようにし、カードリーダ面から見て、導電体カードの手前側にある非接触式ＩＣカードが、裏面側にある導電体カードによってリーダ面のアンテナからの発信された磁力線が妨害されないようにすると共に、導電体カードの手前側にある非接触式ＩＣカードに集中させ、導電体カードの手前側に磁力吸収体層を設ける技術的思想である。
【０００３】
また、フェライト等の電波吸収体（磁性体）層を、導電体シートの両側に設けないカードホルダー（特許文献３）が提案されている。
図１９（ａ）のように、特許文献３のカードホルダーは、導電体をシート状にした導電体カードを保持した導電体カード保持シートＣの両面に２枚のＩＣカード保持シートＡ及びＩＣカード保持シートＢを重ねて３枚積層シートの側縁の綴じ部Ｘで束ねた冊子形状を形成して、ＩＣカード保持シートＡのみを図１９（ｂ）のように水平に開くと、左側のＩＣカード保持シートＡ内の非接触式ＩＣカードのみがカードリーダと交信可能となり、右側の非接触式ＩＣカード保持シートＢは、導電体カード保持シートＣが密着しているので、カードリーダとの交信は遮断される。また、図１９（ｂ）から図１９（ｃ）のように導電体カード保持シートＣを垂直の状態を経由して反対側のＩＣカード保持シートＡの上に導電体カード保持シートＣを密着積層した状態にして、ＩＣカード保持シートＢのみを交信させることができる。
図１９のカードホルダーは、図１９（ｂ）の場合、ＩＣカード保持シートＢの上からの磁力線は導電体カードＣによって、完全に遮断される。しかし、ＩＣカード保持シートＢの下からの磁力線は、上に重ねられた導電体カード保持シートＣがＩＣカード保持シートＢに密着していないと完全に遮断されない。
このＩＣカードホルダーは、図１９（ｂ）のように開いた使用状態において、導電体カード保持シートＣとこれに密着したＩＣカード保持シートＢの密着状態を固定する手段がなく、交信しない非接触式ＩＣカード保持シートと導電体カード保持シートとの密着が固定されていないので、導電体カード保持シートが非接触式ＩＣカード保持シートＢの面から浮き上がり、非接触式ＩＣカード保持シートＢとカードリーダ面との混信が発生する欠点がある。
さらに、ＩＣカードホルダーの使用に際して、図１９（ａ）の３枚重ねのカードホルダーを開くときに導電体カード保持シートＣとＩＣカード保持シートＡの間を開くつもりで、導電体カード保持シートＣとＩＣカード保持シートＢとの間を間違えて開きやすい欠点がある。
そして、ポケット又は手提げ鞄等に入れて携帯するときに、冊子が開きやすく、ＩＣカードが導電体カードから離れるので、スキミングされる恐れが生じる。
また、冊子型の３枚重ねのカードホルダーは、綴じ部Ｘの３枚を同時に接合する構造の製造が困難となる問題点が生じる。
【特許文献１】特許第３６３０００６号公報
【特許文献２】特許第３８７２４９６号公報
【特許文献３】実用新案登録第３１１３６２号公報
【発明の開示】
【発明が解決しようとする課題】
【０００４】
本発明者らは、電波吸収体層（例えばフェライト層）を用いないカードホルダーであって、２〜４枚の非接触式ＩＣカード（以下単にＩＣカードという）を収納したカードホルダーにおいて、カードホルダーからカードリーダ面と交信させるベきＩＣカードをＩＣカード保持シートから取り出すことなく、カードリーダ面にカードホルダーの全面の表裏どちら側をかざしても、他のＩＣカードを読み取るエラー、すなわち他のＩＣカードとの混信が発生しないカードホルダーを提供すると共に、携帯時に複数のＩＣカードを導電体カード保持シートにピッタリと積層し、スキミング防止が完全であり、製造費が安価な構造のカードホルダーを提供することを目的とする。
【課題を解決するための手段】
【０００５】
本発明者らは、ＩＣカードのアンテナとリーダアンテナとの交信を遮断するのは、導電体シートがＩＣカードのリーダアンテナから磁力線が照射される側の面に密着している場合のみではない。すなわち、磁力線が照射される側の裏面側に導電体シートがピッタリと密着している場合には、ＩＣカードのアンテナとリーダアンテナとの交信を確実に遮断する知見を得て、この知見に基づき、複数のＩＣカードと１枚の導電体シートの全体をまとめて積層した状態で持ち歩くことができ、カードリーダ面にＩＣカードの１枚を使用するときは、使用すべきＩＣカードを収納したＩＣカード保持シートのみが導電体シートの積層状態になく、他のＩＣカードは全て導電体シート面と密着固定された状態でカードホルダー全体をカードリーダ面にかざすことができるカードホルダーの構造を案出して本発明を完成した。
すなわち、本発明は、
（１）２枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの表面側に積層され、他方は導電体カード保持シートの裏面側に積層されるものであって、２枚のＩＣカード保持シートの内面には、導電体カード保持シート面を脱着自在に固定する嵌合形式の固定手段が設けてなり、該嵌合形式の固定手段がＩＣカード保持シートと導電体カード保持シートの積層時に当接する導電体カード保持シートの表面及び裏面の位置に前記嵌合形式の固定手段に嵌合する固定手段を有し、導電体カード保持シートを中間にして、導電体カード保持シートの表面側に１枚のＩＣカード保持シートを積層固定し、導電体カード保持シートの裏面側に他の１枚のＩＣカード保持シートを積層固定し、合計３枚の積層状態にして携帯できることを特徴とする非接触式ＩＣカードホルダー、
（２）２枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は積層された前記ＩＣカード保持シートの上に積層されるものであって、２枚のＩＣカード保持シートの少なくとも一方の内面の先端縁には、導電体カード保持シート面を脱着自在に固定する嵌合形式の固定手段が設けてなり、該嵌合形式の固定手段が導電体カード保持シートにＩＣカード保持シートを重ねた場合に該固定手段に嵌合する固定手段が導電体カード保持シート面に設けられてなり、さらに、該嵌合形式の固定手段が他方のＩＣカード保持シートとの積層時に当接する他方のＩＣカード保持シートの外面の位置に前記嵌合形式の固定手段に嵌合する固定手段を有し、導電体カード保持シートの内面側に、２枚のＩＣカード保持シートを２辺の連結部で折り重ねて積層固定し、合計３枚の積層状態にして携帯できることを特徴とする非接触式ＩＣカードホルダー、
（３）２枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は積層された前記ＩＣカード保持シートの上に積層されるものであって、２枚のＩＣカード保持シートの少なくとも一方の内面の先端縁には、導電体カード保持シート面を脱着自在に固定する嵌合形式の固定手段が設けてなり、該嵌合形式の固定手段が他方のＩＣカード保持シートの上に積層したときに当接する他方のＩＣカード保持シートの外面の位置に前記嵌合形式の固定手段に嵌合する固定手段を有し、導電体カード保持シートの内面側に、２枚のＩＣカード保持シートを左右から折り重ねて積層固定し、合計３枚の積層状態にして携帯できることを特徴とする非接触式ＩＣカードホルダー、
（４）２枚の長方形状のＩＣカード保持シート及び該ＩＣカード保持シートと略同寸同形の導電体カード保持シート１枚とからなり、２枚のＩＣカード保持シートの長方形状の１辺は、導電体カード保持シートの同一の長さの隣接する２辺との間の屈折自在の連結部を介して連結されてなり、２枚の長方形状のＩＣカード保持シートが導電体カード保持シートの片面に積層され、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面側の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートの内面側に、２枚のＩＣカード保持シートを縦横方向から折り重ねて積層固定し、合計３枚の積層状態にして携帯できることを特徴とする非接触式ＩＣカードホルダー、
（５）３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの表面又は裏面に、ＩＣカード保持シート面を重合積層した場合に、導電体カード保持シートの面とＩＣカード保持シート面とを脱着自在に固定する嵌合形式の固定手段を有し、導電体カード保持シートの片面に２枚のＩＣカード保持シートを重合積層するときは、さらに、既に積層されたＩＣカード保持シートの外面とその上に積層するＩＣカード保持シートの内面とを脱着自在に固定する固定手段を有し、導電体カード保持シートを中間にして、導電体カード保持シートの表面側に１〜２枚のＩＣカード保持シートを積層し、導電体カード保持シートの裏面側に１〜２枚のＩＣカード保持シートを積層し、合計４〜５枚の積層状態にして携帯できることを特徴とする非接触式ＩＣカードホルダー、
（６）３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの面に２枚のＩＣカード保持シートが積層重合される場合は、該２枚のＩＣカード保持シートは導電体カード保持シートの隣接する２辺に連結されていて、ＩＣカード保持シートから導電体カード保持シートを介して他方のＩＣカード保持シートにＬ字型に連結されてなり、該２枚のＩＣカード保持シートの先端縁には、導電体カード保持シートの面と固定する嵌合形式の脱着自在の固定手段を有し、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートを中間にして、導電体カード保持シートの表面側に１〜２枚のＩＣカード保持シートを固定し、導電体カード保持シートの裏面側に１〜２枚のＩＣカード保持シートを固定し、合計４〜５枚の積層状態にして携帯できることを特徴とする非接触式ＩＣカードホルダー、
（７）保持シート面の嵌合形式の嵌合固定手段が、１組の面ファスナーである(１)〜(６)項のいずれか記載の非接触式ＩＣカードホルダー、
（８）面ファスナーがテープ状面ファスナーである(７)項記載の非接触式ＩＣカードホルダー、
（９）保持シート面の嵌合形式の固定手段が１組の凹凸条嵌合型ジッパーである(１)〜(６)項のいずれか記載の非接触式ＩＣカードホルダー、
（１０）導電体カード保持シートの導電体カードが中央部に孔がある金属板である(１)〜(９)項のいずれか記載の非接触式ＩＣカードホルダー、
（１１）嵌合形式の固定手段が保持シート面の周縁に設けた(１)〜(１０)項のいずれか記載の非接触式ＩＣカードホルダー、
（１２）ＩＣカード保持シート及び導電体カード保持シートの材質がポリプロピレン樹脂シートである(１)〜(１１)項のいずれか記載の非接触式ＩＣカードホルダー、
（１３）ＩＣカード保持シート及び導電体カード保持シートの材質が皮又は合成皮革シートである(１)〜(１２)項のいずれか記載の非接触式ＩＣカードホルダー、
（１４）２〜４枚の長方形状のＩＣカード保持シート及び該ＩＣカード保持シートと略同寸同形の中央部に貫通孔を有する導電体カード保持シート１枚とからなり、各ＩＣカード保持シートの長方形状の１辺は、導電体カード保持シートの同一の長さの１辺との間の屈折自在の連結部を介して連結されていて、２〜４枚のＩＣカード保持シートの中の１〜２枚のＩＣカード保持シートは導電体カード保持シートの一方の面側に重合積層され、さらに、１〜２枚のＩＣカード保持シートは導電体カード保持シートの他方の面に振り分けて重合積層されるものであって、該積層中の導電体カード保持シートの表裏に直接積層される２枚のＩＣカード保持シートの内面の中央部には、ＩＣカード保持シート同士が互いに嵌合する脱着自在の固定手段を有し、該固定手段によって２枚のＩＣカード保持シートを導電体カード保持シートの貫通孔の位置で嵌合固定されて、導電体カード保持シートを中間にして合計３枚の積層状態を積層中に保有し、ＩＣカード保持シートを３〜４枚有する場合において、導電体カード保持シートの片面に２枚のＩＣカード保持シートが上下に積層されるとき、上層側のＩＣカード保持シートの内面及び下層側のＩＣカード保持シートの外面に互いに嵌合する脱着自在の固定手段を有し、合計３〜５枚の積層状態にして携帯できることを特徴とする非接触式ＩＣカードホルダー、及び
（１５）固定手段が面ファスナーである(１４)項記載の非接触式ＩＣカードホルダー、
を提供するものである。
さらに、本発明の好ましい態様として、
（１６）ＩＣカード保持シートが長方形状シートの３辺を閉鎖してなる袋体であり、該袋体は、長方形状の１辺に開口部を有するものである(１)〜(１５)項記載の非接触式ＩＣカードホルダー、
（１７）ＩＣカード保持シート及び導電体カード保持シートが、布である(１)〜(１６)項記載の非接触式ＩＣカードホルダー、
（１８）導電体カード保持シートの導電体が厚さ０.０５〜３ｍｍの金属板である(１)〜(７)項記載の非接触式ＩＣカードホルダー、及び
（１９）導電体カードが金属アルミである(１)〜(１８)項記載の非接触式ＩＣカードホルダー、
を挙げることができる。
【発明の効果】
【０００６】
本発明のＩＣカードホルダーは、各ＩＣカード保持シートが導電体カード保持シートに完全に折り重なる連結形式でありながら、全ＩＣカード保持シートが異なる連結部によって連結しているので、携帯時には、導電体カード保持シートの磁力遮断領域に、全ＩＣカード保持シートが積層された状態で、嵌合固定手段で固定され、スキミング防止効果を果すと共に、ＩＣカードの使用時には、目的のＩＣカード保持シートの連結部の折り曲げを伸ばすことによって、目的のＩＣカード保持シートのみを導電体カード保持シートの磁力遮断領域から外して、カードリーダ面との交信を可能にすることができる。
また、本発明によるＩＣカードホルダーは、２枚以上のＩＣカードを、導電体カード保持シートの両面又は片面に異なる連結部の折り曲げ方によって積層して携帯しているので、使用しないＩＣカード保持シートを積層領域から分離させることなく、導電体カード保持シートに密着固定したまま、使用すべきＩＣカード保持シートの連結部のみを伸ばして積層領域から分離して使用するときのＩＣカード保持シートの選択が容易で、ＩＣカード保持シートの取り出しを間違えない利点がある。
【発明を実施するための最良の形態】
【０００７】
本発明のＩＣカードホルダーは、２〜４枚のＩＣカード保持シートが１枚の導電体カード保持シートに屈曲自在の連結部によって連結した構造に、嵌合形式の脱着自在の固定手段によって積層を固定する機能を持たせることによって、複数のＩＣカード保持シートと導電体カード保持シートの積層状態を形成して、該積層状態の確実な密着固定によって、携帯可能とするとともに、ＩＣカードのスキミングを防止し、かつ、嵌合形式の脱着自在の固定手段を外して、使用すべきＩＣカードのみを導電体カード保持シートの積層領域から取り出して、他のＩＣカードの混信を抑えて、使用すべきＩＣカードのみを選択的に交信可能とする点に特徴がある。
本発明の構成の特徴である嵌合形式の脱着自在の固定手段は、ＩＣカード保持シートの内面と導電体カード保持シートの面（場合によっては他のＩＣカード保持シートの外面）の間を密着固定するものである。
本発明のＩＣカードホルダーにおいて、ＩＣカード保持シートが２枚の場合は、二つの連結部は必ず、導電体カード保持シートの異なる側縁に繋がっている。二つの側縁は導電体カード保持シートの対向する側縁又は隣接する側縁にすることができる。ＩＣカード保持シートが３〜４枚の場合は、２枚が導電体カード保持シートの片面に重ねられ、残余のＩＣカード保持シートは、その裏面側に重ねられる。
このとき、導電体カード保持シートの側縁に、２枚のＩＣカード保持シートが繋がらないようにする方が望ましい。なぜなら、ＩＣカードホルダーの製造工程において、導電体カード保持シート及び複数のＩＣカード保持シートが連続的に繋がったシートを用いて製造できるので、工程が簡単で、製造経費が安くできる利点がある。１辺に二つのＩＣカード保持シートを連結部で繋ぐと、冊子型の綴じ部の連結部となり、複数のシートの接合になり、製造工程が複雑になる。製造工程の簡便性を維持するためには、本発明の方式のＩＣカードホルダーに収納できるＩＣカードの枚数は、４枚が限度となる。
本発明のＩＣカードホルダーのように、ＩＣカード保持シートが導電体カード保持シートの各辺に分散している場合は、１辺で閉じる冊子型よりもＩＣカード保持シートがばらけやすい。そのため、ＩＣカードホルダーの積層を固定する脱着自在の固定手段の重要性は、冊子型の場合よりさらに大きくなる。
【０００８】
本発明に用いる脱着自在の固定手段は、互いに脱着自在に嵌合する二つの構造が、固定すべき二つの面に別々に分けて設置されている固定手段であり、この固定手段によって固定された二つのシート面を指の力で簡単に引き剥がせて、指の押圧で簡単に接合密着することができるものであって、剥離力が負荷されない限り、上からの押圧及び横からのズレ力に対しては密着固定が維持できる固定手段であれば特に制限なく公知の固定手段を全て用いることができる。例えば、先端に鍵型若しくは釣鐘型の係止を有する無数の植毛を備えたシートとループ型の無数の植毛を有するシートとの組み合わせによる嵌合固定の面ファスナーによる固定手段及び凸条リブを有するプラスチックシートとこの凸条リブに嵌合する凹条溝を有するプラスチックシートを組み合わせた１組のプラスチックシートからなる凹凸条嵌合型ジッパー（ジップと呼ばれることもある）等が特に好適である。
本発明に用いる脱着自在の固定手段は、保持シートの面の全面及び一部に取り付けることができる。一部に取り付ける場合は、保持シートの側縁、中央部のどこにでも取り付けることができる。特に、ＩＣカード保持シートを重ねたときのＩＣカード保持シートの内面の先端縁又は内面の両側縁に取り付ける方法、又は中央部の広い面積、例えば長方形保持シートの５０％以上の寸法の長方形状に取り付ける方法が、積層全面の密着性を確実にする点で望ましい。このとき、ＩＣカード保持シートの固定手段が当接する位置に、嵌合対応する固定手段を設ける必要がある。
特に、ＩＣカード保持シートの先端縁又は両側縁に設ける場合の脱着自在の固定手段は、細長いテープ状の固定手段、例えばテープ状面ファスナー又は凹凸条嵌合型ジッパーが、携帯時のＩＣカードホルダーの厚さが大きくならない点で望ましい。
本発明のＩＣカードホルダーは、２〜４枚のＩＣカード保持シートが１枚の導電体カード保持シートに屈曲自在の連結部によって連結した構造に、嵌合形式の脱着自在の固定手段によって積層を固定する機能を持たせることによって、複数のＩＣカード保持シートと導電体カード保持シートの積層状態を形成して携帯可能とするものであるが、該積層状態に含まれる導電体カード保持シートを中央にして、２枚のＩＣカード保持シートを両面にサンドイッチ状に積層した構造において、導電体カード保持シートの中央部に貫通孔を設け、この貫通孔の位置で、両面に積層した２枚のＩＣカード保持シートの中央部を嵌合形式の脱着自在の固定手段によって、固定する態様が導電体カード保持シート面の嵌合手段を省略でき、嵌合手段の厚さが導電体カード保持シートの貫通孔の厚さに隠れて、本発明のＩＣカードホルダーの積層が嵌合手段によって、厚くならない利点がある。
本発明の各ＩＣカード保持シートと導電体カード保持シートとは、屈曲自在の連結部で繋がっている。この連結部は、長方形状の導電体カード保持シートの４辺に設けられる。
【０００９】
次に、本発明を実施態様の図面によって説明する。本発明は該図面によって制限されるものではない。
図１〜４で示すカードホルダーは、本発明の簡単な構造で製造コストが安価な実施態様（本発明の前記（１）項の態様）であり、２枚の長方形状のＩＣカード保持シートＡ、Ｂ及び該ＩＣカード保持シートと略同寸同形の導電体カード保持シートＣ１枚とからなり、各ＩＣカード保持シートの長方形状の１辺は、導電体カード保持シートの同一の長さの１辺との間の屈折自在の連結部Ｄ、Ｅを介して連結されてなり、長方形状のＩＣカード保持シートＡが導電体カード保持シートＣの表面側に積層され、他方のＩＣカード保持シートＢは導電体カード保持シートＣの裏面側に積層されるものであって、２枚のＩＣカード保持シートの面には、導電体カード保持シート面を脱着自在に固定する嵌合形式の固定手段としての面ファスナーＨ及びＩが設けてなり、該嵌合形式の固定手段がＩＣカード保持シートと導電体カード保持シートの積層時に当接する導電体カード保持シートの表面及び裏面の位置に前記嵌合形式の固定手段に嵌合する固定手段としての面ファスナーＦ及びＧを有し、導電体カード保持シートを中間にして、導電体カード保持シートＣの表面側に１枚のＩＣカード保持シートＡを積層固定し、導電体カード保持シートＣの裏面側に他の１枚のＩＣカード保持シートＢを積層固定し、合計３枚の積層状態にして携帯できることを特徴とする非接触式ＩＣカードホルダーである。
【００１０】
図１は、本発明の２枚のＩＣカードをそれぞれ保有した２枚のＩＣカード保持シートと導電体カード保持シートからなるカードホルダーを、連結部を開いて展開した状態の展開平面図である。図２は、図１の側面の断面図であり、図３は、図１のカードホルダーの左側のＩＣカード保持シートを導電体カード保持シートの上に重ね、右側のＩＣカード保持シートを導電体カード保持シートの下に重ね、三重構造にしてカードホルダーを携帯するときの積層状態を示す側面図であり、図４は、図３の状態の左側ＩＣカード保持シートを積層から剥がして、横に広げたカードホルダーの左側ＩＣカード保持シートをリーダ面にかざすときの状態を示す側面図である。
図１の態様は、カードホルダーの材質は反復屈曲特性が他の樹脂と比較して飛びぬけて良好なポリプロピレン樹脂である。そのため、保持シートの厚さを０.１ｍｍ以上にしても、数十万回以上の反復屈曲を受けても連結部が破損することはない。
構造的には、図１〜２で示すように、導電体カード保持シートＣを中央にして、導電体カード保持シートＣの左縁の屈曲可能な連結部Ｄを介して、左側にＩＣカード保持シートＡが連結されて、導電体カード保持シートＣの右縁の屈曲可能な連結部Ｅを介して、右側にＩＣカード保持シートＢが連結されて３枚のシートが屏風状に直列に繋がっている。この３枚シートの屏風状の連結状況は、積層３枚シートの一縁を綴じて冊子状にする従来技術の図１９の形状とは、展開状態が異なり、ＩＣカードホルダーの構造が基本的に相違する。また、図１の態様の変形として、２枚のＩＣカード保持シートを導電体カード保持シートの隣接する側縁に設けて、３枚の保持シートをＬ字型に連結することもできる。この態様では屏風型の方が、製造、使用の両面において便利であるが、ＩＣカードホルダーの意匠上の好みから、Ｌ字型にすることができる。
図１〜４のＩＣカードホルダーは、３枚の保持シートが一体的に連続するポリプロピレン樹脂フィルムによって製造されている。
【００１１】
本発明のＩＣカードホルダーの材質はポリプロピレン樹脂に限定されるものではなく、定期入れなどの公知のカードホルダーに用いられていて、屈曲可能なシート若しくはフィルムであり、磁力線を遮断する物質を含有しないものであれば、特に材質を制限することなく使用することができ、例えば、合成樹脂フィルム、合成樹脂シート、布、不織布、ゴムシート、皮、合成皮革等を好適に使用することができる。合成樹脂フィルムを使用する場合は、屈曲反復強度が非常に優れている点で、ポリプロピレン樹脂フィルム又はシートが特に好ましい材質である。そして、屈曲部のみにポリプロピレン樹脂シートなどの屈曲自在の材料を用いて、保持シート部には、剛性シート、例えばセルロイド、アクリルシート又はガラス等を使用して、シート材料を複合させることができる。
また、ＩＣカードホルダーの材質は、図の３枚の保持シート全体が一体的に連続した材質で製造することが製造工程が簡単で好ましい。
【００１２】
これら材質のシートの厚さは、反復屈曲に耐える限り、特に制限なく、いかなる厚さのものも使用することができる。ポリプロピレン樹脂フィルムの場合は、厚さ０.５ｍｍ程度の厚さのシートにしても、反復屈曲に十分に耐える樹脂であるので、ポリプロピレンシートは、本発明の材質として特に好ましい。
保持シートにＩＣカードを保持する手段は、ＩＣカードが脱落しないように保持できて、ＩＣカードの着脱自在の保持手段であれば特に制限なく採用することができ、特に、定期入れ等に採用されている二重の長方形シートの３辺を封鎖して形成した袋体部の開放した１辺からＩＣカードを挿入して保持する方法が着脱自在の保持方法として好ましい。
保持シートに導電体カードを保持する手段は着脱自在にする必要はないので、どのような保持手段も採用することができる。例えば、二重の長方形シートの４辺を封鎖する方法、接着剤で導電体カードを保持シートに接着する方法等を採用することができる。
【００１３】
さて、本発明の図１〜４の態様のＩＣカードホルダーは、屏風状に連結したＩＣカード保持シートＡ−導電体カード保持シートＣ−ＩＣカード保持シートＢからなっているが、３枚の各保持シートは、連続した２枚のポリプロピレン樹脂フィルムの積層フィルムによって形成されている。
ＩＣカード保持シートＡは、上下２枚のポリプロピレン樹脂フィルムの間に、ＩＣカード１を挟み、ＩＣカード１の長方形状の４辺の外縁に沿って二重積層フィルムの３周縁を熱溶着した周縁の溶着線Ｋによって形成されている。図２のＩＣカード保持シートＡの上面フィルムの右縁の内側に切目を付けて形成したＩＣカード１の挿入口Ｌがある。
この態様の周縁の溶着線Ｋは、溶着幅を２〜３ｍｍ程度に広げて、周縁に剛性を付与することもできる。
ＩＣカード保持シートＡは、上下２辺及び側縁の溶着線Ｋによって３方が囲まれた長方形状の二重フィルム構造の隙間に、開放されている挿入口ＬからＩＣカード１を滑りこませるように挿入して形成される。挿入口Ｌが連結部Ｄの方向に開口しているために、携帯時に、ＩＣカードが袋体から脱落することはあり得ない。図２に示すように、ＩＣカード保持シートＡの上面の側縁には、面ファスナーＨが融着固定されている。面ファスナーの固定方法は、特に制限はないが、面ファスナーの脱着が頻繁に反復されることから、粘着剤による粘着固定よりも、面ファスナーの裏面をＩＣカード保持シートＡの表面に融着固定若しくは接着剤で面ファスナーが脱落しないように硬く固定することが望ましい。
ＩＣカード保持シートＡは、右端の連結部Ｄを介して、導電体カード保持シートＣに繋がっている。連結部Ｄは、２枚のポリプロピレン樹脂シートが熱圧着して形成されていて、熱圧着の際に、連結部Ｄの形状に上方向に曲がりやすいように凹状の曲げ癖がつけられている。この連結部Ｄを上方に折り曲げて、ＩＣカード保持シートＡを１８０度回転させて、ＩＣカード保持シートＡを導電体カード保持シートＣの上面に重ねて、ＩＣカード保持シートＡの面と導電体カード保持シートＣの表面を密着させると、両方の保持シートの端縁に設けた面ファスナーＨとＦの面が当接して、面ファスナーの面同士が嵌合して保持シートの面が密着固定される。ＩＣカード保持シートＡの面ファスナーＨと導電体カード保持シートＣの下面の面ファスナーＦは、面ファスナーＨが雄型であれば、面ファスナーＦは雌型である。
【００１４】
本発明に用いる導電体カード保持シートに用いる導電体カードは、導電体のカードであれば特に制限なく使用でき、例えば金属、銅、アルミ、鉄等の板を好適に使用することができる。カードの厚さは、大きいほど、ＩＣカードの裏面側に導電体カードが積層した場合の混信遮断効果が大きいが、厚すぎるとＩＣカードホルダーの重量が重くなる。本願発明の導電体カードの厚さは、０.０５〜３ｍｍ、好ましくは、０.１〜０.５ｍｍを採用することができる。
導電体カードの外郭形状は、ＩＣカードの寸法とほぼ同一又はＩＣカードの寸法よりも縦横が５〜１０ｍｍ大きいものも使用することができる。そして、ＩＣカードのアンテナが存在しない中央部分に孔をあけたものも使用することができる。中央孔あき構造の導電体カードを用いると、同一重量の導電体カードの厚さを厚くできて、混信遮断効果を増加させることができる利点がある。
図１〜４のＩＣカードホルダーのＩＣカード保持シートＢを、導電体カード保持シートＣの上縁に連結して、３枚の保持シートをＬ型に連結することもできる。Ｌ字型連結のＩＣカードホルダーは、図１〜４の屏風型ＩＣカードホルダーと、３枚の保持シートの積層の構成及び使用手順は同一である。
【００１５】
本発明の図１の実施態様の保持シートの別の連結態様、すなわち、導電体カード保持シートの片面上に２枚のＩＣカード保持シートを２枚とも重ねて積層する図５〜６の態様（本発明の前記（２）項及び（３）項の態様）がある。
図５〜６の態様（本発明の前記（２）項の態様）は、構造としては、図１〜２の面ファスナーＧ及び面ファスナーＩが、それぞれの保持シートの反対面に移動し、新たに、ＩＣカード保持シートＡ及びＩＣカード保持シートＢ下面の連結部に対向する側縁にそれぞれ面ファスナーＪを設けた点のみが僅かに相違する。しかし、保持シートを積層する場合の方法は、導電体カード保持シートの左右の連結部Ｄは、両者とも図６の状態から上方に折り曲げられるために、図１〜２の態様とは積層構造が異なる。つまり、図１の屏風型ＩＣカードホルダーに対して、図５〜６の態様は、観音開き型といえる。従来技術の図１９の冊子型とは基本的に構造が相違する。
このＩＣカードホルダーの重ね方としては、ＩＣカード保持シートＡ又はＢのいずれかを導電体カード保持シートＣに重ねて、例えば、ＩＣカード保持シートＡを重ねた場合には、面ファスナーＨを面ファスナーＦに嵌合固定させて、まず、ＩＣカード保持シートＡを積層する。次いで、ＩＣカード保持シートＢをＩＣカード保持シートＡの上に重ねて、面ファスナーＩをＩＣカード保持シートＡの外側にある面ファスナーＪと嵌合固定することによって、３枚積層状態の固定を達成することができる。この３枚保持シートの積層状態では、面ファスナーＧ及びＩＣカード保持シートＢの下面の面ファスナーＪは、携帯時の３枚積層の密着固定には何ら貢献していない。
しかし、面ファスナーＧは、ＩＣカード保持シートＡを使用する場合に、図６の状態からＩＣカード保持シートＢを導電体カード保持シートＣに重ねるときに、面ファスナーＩと面ファスナーＧを嵌合固定させて、ＩＣカード保持シートＢを導電体カード保持シートＣに密着固定させることに貢献する。
【００１６】
また、面ファスナーＧ及びＩＣカード保持シートＢの下面の面ファスナーＪは、積層順序をＩＣカード保持シートＢを先に導電体カード保持シートに重ねてから、ＩＣカード保持シートＡを重ねる場合は積層及び使用時の保持シートの密着固定に貢献する。すなわち、図５〜６のＩＣカードホルダーは、２枚のＩＣカード保持シートのどちらを先に積み重ねても同一の積み重ね状態を形成することができて、しかも、確実に、目的のＩＣカードのみを使用することができる。
この場合、例えばＩＣカード保持シートＢの面ファスナーＪを削除しても、２枚のＩＣカード保持シートの重ねる順序を間違えなければ、同一の効果を得ることができる。従って、図５〜６の構造の二つの面ファスナーＪのいずれか一方を削除することもできる。
さらに、図５〜６の導電体カード保持シートの面ファスナーＦ及びＧをも削除しても、携帯時の密着固定は確保することができる（本発明の前記（３）項の態様）。面ファスナーＦ及びＧを削除した場合は、一方のＩＣカード保持シートを使用する場合に他方のＩＣカード保持シートを導電体カード保持シートの上にしっかりと指で押えておく必要があるが、この点を使用時に注意すれば、２枚専用のＩＣカードホルダーとしては十分に使用することができる。
【００１７】
次に、図７〜８の態様は、導電体カード保持シートの片面に２枚のＩＣカード保持シートを重ねる態様であって、ＩＣカード保持シートＡ、導電体カード保持シートＣ及びＩＣカード保持シートＢがＬ字型に連結されている態様（本発明の前記（４）項の態様）である。図７は展開平面図であり、図８は図７を３枚積層した状態の側面図である。図７〜８の態様は、ＩＣカード保持シートの２枚が導電体カード保持シートの片面に重ねられる点で観音開き型と同一であるが、Ｌ字型に連結されている点で相違している。また、ＩＣカード保持シートＡ重ねる方向の長さを、その下にくるＩＣカード保持シートＢの長さより長くして、導電体カード保持シートＣの面ファスナーＦとＩＣカード保持シートＡ面ファスナーＨとが直接密着するようにすることができる。これも従来技術の図１９と基本的に相違する構造である。
この態様は、２枚の長方形状のＩＣカード保持シートＡ、Ｂ及び導電体カード保持シートＣ１枚とからなり、２枚のＩＣカード保持シートの長方形状の１辺は、導電体カード保持シートの同一の長さの隣接する２辺との間の屈折自在の連結部Ｄ、Ｄを介して連結されてＬ字型に繋がっている。まず、ＩＣカード保持シートＢが連結部Ｄを折り曲げて、導電体カード保持シートの片面に積層され、面ファスナーＩと面ファスナーＧによって積層が固定され、他方のＩＣカード保持シートＡは、図８の側面図に示すように、既に積層されているＩＣカード保持シートＢの上を交叉して跨ぐように積層され、跨ぐように積層されるＩＣカード保持シートＡの内面の先端縁には、面ファスナーＨがあり、該面ファスナーＨは導電体カード保持シートの連結部Ｄの反対側の側縁にある面ファスナーＦと嵌合固定して、３枚の積層を固定することができる。この固定によって携帯時の固定は完成する。そして、このＩＣカードホルダーを使用するときは、図８の状態からＩＣカード保持シートＡのみを剥がして、ＩＣカード保持シートＢは、面ファスナーＩと面ファスナーＧによって、導電体カード保持シートＣに密着固定した状態で、カードリーダ面にかざすことができる。また、ＩＣカード保持シートＢを使用するときは、一旦ＩＣカード保持シートＡを剥がしてから、ＩＣカード保持シートＢを剥がして、ＩＣカード保持シートＡを導電体カード保持シートＣに重ねて、面ファスナーＨと面ファスナーＦで固定してから、ＩＣカード保持シートＢをかざして使用する。ＩＣカード保持シートＡを使用するとき、面ファスナーＩと面ファスナーＧを削除しても、ＩＣカード保持シートＢが導電体カード保持シートＣから遊離しないように指で押えれば、誤作動しないように使用することができる。
【００１８】
また、ＩＣカード保持シートＢを使用するときは、面ファスナーＨと面ファスナーＦによって、ＩＣカード保持シートＡと導電体カード保持シートＣは密着固定されているので、指で押える必要はない。しかし、携帯時に上側に積層されるＩＣカード保持シートと導電体カード保持シート面を固定する面ファスナーＨと面ファスナーＦの嵌合固定は、携帯時の積層を安定させるために必須である。すなわち、既に積層されている他方のＩＣカード保持シートＢの上を跨ぐように積層されるＩＣカード保持シートＡの内面の先端縁には、導電体カード保持シート面を固定する面ファスナーを有している（本発明の前記（４）項の態様）。図７〜８において、Ｌ字型の縦横のＩＣカード保持シートＡとＩＣカード保持シートＢの重ね合わせの順序を逆にして、面ファスナーの設置位置を変更して、同一の作用効果のＩＣカードホルダーにすることができる。また、２枚のＩＣカード保持シートの両方ともに、互いに相手方のＩＣカード保持シートを跨げる長さにして、両方の先端縁に、導電体カード保持シートＣ面との固定手段を設けると、積層順序を間違える恐れがない上に、どちらのＩＣカード保持シートを使用するときも、他のＩＣカード保持シートの導電体カード保持シートとの密着を、指で押えなくとも確保できるので、最も望ましい本発明の前記（４）項の態様である。
図１〜８で説明した事例の本発明ＩＣカードホルダーの屏風型、観音開き型及びＬ字型は、いずれもＩＣカード保持シートの収納は２枚を限度としていて、３枚以上のＩＣカードを収納することはできても、使用時にＩＣカードホルダーから選択したＩＣカードを取り出すことなく、カードリーダ面にかざすことができない。２枚重ねのＩＣカードが混信するからである。
【００１９】
本発明のＩＣカードホルダーの別の態様には、３〜４枚のＩＣカードを使用できるＩＣカードホルダーとして、図９〜１３の態様がある。
本発明の（１）項の態様（屏風型）に、（２）項若しくは、（３）項の態様（観音型）を組み合わせるか、（１）項の態様に（４）項の態様（Ｌ字型）の構造を、導電体カード保持シートの表裏に分けて組み合わせることによって、ＩＣカード保持シート３〜４枚を有し、本発明のＩＣカードホルダーの作用効果を有する発明を構成することができる。
すなわち、図９〜１０の態様は、図５〜６（（２）項の態様）と、図１の態様の変形（（１）項の態様）を組み合わせた態様である。図９は展開平面図であり、図１０は、図９の導電体カード保持シートの水平状態を維持して、上方の保持シートを導電体カード保持シートの下面に積層した場合の図９の下方の矢印の方向から見た側面図である。この態様は、保持シートとして、皮を用いている。
図９〜１０の態様は、図５の展開平面図の導電体カード保持シートの上縁に裏面側に折り曲げる連結部Ｅを介して、３枚目のＩＣカード保持シートＳを繋いだ構造である。
すなわち、図５の片面に２枚のＩＣカードホルダーを積層する態様と、導電体カード保持シートの両面に２枚のＩＣカード保持シートを振り分けて積層する図１の態様を複合したものである。
各態様の構造の関係を、図９の構造を基準に解析すると、図９のＩＣカード保持シートＢを除去すれば、ＩＣカード保持シートＳを導電体カード保持シートＣの裏面側に積層し、ＩＣカード保持シートＡを表側に振り分けて積層する図１の態様の変形となり、ＩＣカード保持シートＳを除去すれば２枚のＩＣカードを導電体カード保持シートＣの表側に重ねて積層する図５の態様となる。かくて、図９の態様の積層機能及びＩＣカード保持シートの選択機能は、図１及び図５の説明を寄せ集めれば、説明できる。
携帯時の保持シートの重ね合わせの機能は、図１及び図５の態様と同様であり、使用時に他のＩＣカードの混信を抑えて、目的のＩＣカード保持シートのみをカードリーダ面と交信させることができる。
【００２０】
図１１〜１２の態様は、図７〜８の態様（（４）項の態様）に図１の態様（（１）項の態様）を組み合わせた態様である。図１１は、展開平面図であり、図１２は、図１１をそのまま積層したときの矢印方向から見た側面図である。図１１の態様は保持シートとして布を用いている。
図１１の構造は、図７の展開平面図の導電体カード保持シートＣの右側側縁に、裏側に折り曲げられる連結部Ｅを介して、第３のＩＣカード保持シートＳを取り付けた構造である。図１１の導電体カード保持シートの二つの連結部Ｄは、導電体カード保持シートＣの表側に曲げられるが、ＩＣカード保持シートＳと導電体カード保持シートＣと繋ぐ連結部Ｅは、導電体カード保持シートＣの裏面側に折り曲げられて、ＩＣカード保持シートＳは、導電体カード保持シートＣの裏面側に積層される。図１１の構造のＩＣカード保持シートＳを除去すれば、図１の態様の変形になる。図１１の態様の積層機能及びＩＣカード保持シートの選択機能は、図１及び図７の説明を寄せ集めれば、説明できる。
図１のＩＣカード保持シートＢと同様に、ＩＣカード保持シートＳの裏面側先端に設けた面ファスナーｉと導電体カード保持シートＣの裏面側の側縁に設けた面ファスナーｇとを嵌合させて、ＩＣカード保持シートＳを導電体カード保持シートＣの裏面側に積層固定することができる。
その結果、３枚のＩＣカード保持シートと導電体カード保持シートの合計４枚の積層状態で携帯できるＩＣカードホルダーとなる。
図１１〜１２の導電体カード保持シートＣの表側の積層構造は、図７〜８と完全に同一であり、裏面側の積層構造は、図１の態様の導電体カード保持シートＣの裏面側の積層構造と同一である。
【００２１】
そして、この図１１〜１２の構造は、図１２の４枚積層状態から、目的のＩＣカード保持シートのみを分離して、他の保持シートは、導電体カード保持シートと共に積層状態を維持させて、リーダ面にかざすことができる。
さらに、図１３のＩＣカードホルダーの態様は、図１１〜１２の態様に、ＩＣカード保持シートＲを、ＩＣカード保持シートＳと同様に取り付けて、ＩＣカード保持シートＳと共に、導電体カード保持シートＣの裏面側にＩＣカード保持シートＲを折り曲げ積層可能にしたものである。図１４は図１３のａ−ａの線の断面図であり、図１５は図１３のｂ−ｂの線の断面図である。
図１３のＩＣカードホルダーは、図７〜８の態様を、導電体カード保持シートＣの表側と裏側の両方に設けた態様のＩＣカードホルダーである。図１３のＩＣカードホルダーは、４枚のＩＣカード保持シートと導電体カード保持シートの５枚の積層構造にして携帯することができ、使用すべき１枚のＩＣカード保持シートのみを積層から分離して使用することができる。
【００２２】
図１６の態様は、貫通孔のある導電体カード保持シートを用いて、これに、２枚のＩＣカード保持シートを導電体カード保持シートの表裏に振り分けて積層を有する態様の最も簡単な事例である。
導電体カード保持シートＣは、長方形の導電体カードの中央部に長方形の貫通孔を有する導電体カード５を、同じく中央に長方形の貫通孔のある樹脂フィルム製保持シートによって、貫通孔を有する金属板の外周及び内周を封鎖したものである。この導電体カード保持シートＣの左側には、ＩＣカード保持シートＡが連結部Ｅを介して連結している。ＩＣカード保持シートＡの裏面側の中央部には、矩形の面ファスナーＨが取り付けられている。導電体カード保持シートＣの右側には連結部Ｄを介してＩＣカード保持シートＢが繋がっている。ＩＣカード保持シートＢは、ＩＣカード２が保持されて、その中央部には矩形の面ファスナーＩが接着されている。図１６の展開平面図のＩＣカード保持シートＡの連結部Ｅを下方に曲げて導電体カード保持シートＣの裏面に積層すると、ＩＣカード保持シートＡの裏面の中央部に取り付けられていた面ファスナーＨが導電体カード保持シートＣの中央部の貫通孔の内部に図１７のように露出する。この図１７の状態から、ＩＣカード保持シートＢを上方に曲げて、導電体カード保持シートＣに積層して、導電体カード保持シートＣの貫通孔の位置で、導電体カード保持シートＣの中央に露出しているＩＣカード保持シートＡの面ファスナーＨとＩＣカード保持シートＢの面ファスナーＩとを密着嵌合させると、導電体カード保持シートＣを中間にして「ＩＣカード保持シートＡ−導電体カード保持シートＣ−ＩＣカード保持シートＢ」の３層の積層構造を形成することができ、図１８のように、ＩＣカード保持シートＢの表面のみが保持シートの透明樹脂シートの面越しに見える状態となる。図１８を裏返せば、ＩＣカード保持シートＡのＩＣカード１の表面のみが透明樹脂シート越しに見える状態となる。表側又は裏側のいずれかのＩＣカードを選択して、これを積層から剥がして、カードリーダ面にかざせば、目的のＩＣカードのみを使用することができる。
この３層積層構造は、面ファスナーＨと面ファスナーＩによって積層の中央部が固定されている。面ファスナーＨと面ファスナーＩの積層の厚みは、導電体カード保持シートの中央貫通孔の厚みに嵌まり込むので、面ファスナーの厚さによって本発明のＩＣカードホルダーの積層が保持シートの中央部で膨らむことはない。
【００２３】
図１６の展開平面図の導電体カード保持シートの他の辺に、ＩＣカード保持シートをさらに１〜２枚連結することができる（前記（１４）項の態様）。ここに増加されたＩＣカード保持シートには、他の２枚のＩＣカード保持シートと同様に、内面の中央に面ファスナーを設けることが望ましい。そして、この面ファスナーは、既に積層されているＩＣカード保持シートの外面の中央部に設けた面ファスナーと嵌合形式で固定することができる。ＩＣカード保持シートが２枚の場合の図１６の場合は、ＩＣカード保持シートの外面の中央部に面ファスナーを設ける必要がない。ＩＣカード保持シートが３枚以上になると、２枚のＩＣカード保持シートを設ける面のＩＣカード保持シートの外面に面ファスナーを設ける必要が生じる。２枚のＩＣカード保持シートを導電体カード保持シートの片面に積層する場合の面ファスナーの位置は必ずしもＩＣカード保持シートの中央部である必要はなく、両面が当接する位置であれば、側縁に設けることができる。
この３〜４枚のＩＣカード保持シートを用いる態様においては、導電体カード保持シートの片面に２枚のＩＣカード保持シートが重ねられる場合に、両方のＩＣカード保持シートの内面の中央部に面ファスナーを設け、両方のＩＣカード保持シートの外面の中央部に面ファスナーを設けておくと、２枚を重ねる順序に関係なく、同様に、片面に２枚の積層状態を形成することができ、形態に際して、積層順序を注意する必要がないので、便利である。
【００２４】
本発明の作用機構は、従来技術に記載されている冊子型のＩＣカードホルダーにおいて、図１９（ｂ）の状態で、下方から来たＩＣカードリーダ面からの磁力線も、ＩＣカード保持シートの裏面にある導電体カード保持シートの導電カードによって遮断される。
このとき、導電体カード保持シートのカードがＩＣカード保持シートに密着しているほど作用効果が大きく、導電体カードの厚さが厚いほど大きい。また、導電体カードは、中央部に孔が空いていても磁力線遮断効果は殆ど変化しない。従って、導電体カードの厚さを大きくして、中央部に孔をあけて作用効果を大きくして軽量にすることができる。導電体カード保持シートの導電体カードの厚さとしては、０.０５〜３ｍｍのアルミ、鉄、銅、鉛等の金属板を用いることができる。アルミは軽量な点で有利であるが、混信防止及びスキミング防止作用の点では、鉄、鉛が有効である。
【産業上の利用可能性】
【００２５】
本発明の非接触式ＩＣカードホルダーは、複数の非接触式ＩＣカードを収納するカードホルダーとして使用することができる。カードホルダーに複数枚の非接触式ＩＣカードを収納したまま、使用したい１枚の非接触式ＩＣカードのみをカードリーダにかざして、正常に使用することができる点で多数のＩＣカードシステムが普及する社会にとって有用である。
【図面の簡単な説明】
【００２６】
【図１】本発明のＩＣカードホルダーの実施形態の一例を示す展開平面図である。
【図２】図１の側面の断面図である。
【図３】図２の状態を折り曲げた積層状態を示す側面図である。
【図４】図３の積層の上面のＩＣカード保持シートを水平に伸ばした使用時を示す側面図である。
【図５】本発明の他の実施形態のＩＣカードホルダーを示す展開平面図である。
【図６】図５の側面の断面図である。
【図７】本発明ＩＣカードホルダーの他の実施形態を示す展開平面図である。
【図８】図７の携帯時の積層状態を示す側面図である。
【図９】本発明ＩＣカードホルダーの他の実施形態を示す展開平面図である。
【図１０】図９の携帯時の積層状態を示す側面図である。
【図１１】本発明ＩＣカードホルダーの他の実施形態を示す展開平面図である。
【図１２】図１１の携帯時の積層状態を示す側面図である。
【図１３】本発明ＩＣカードホルダーの他の実施形態を示す展開平面図である。
【図１４】図１３のａ−ａの線の断面図である。
【図１５】図１３のｂ−ｂの線の断面図である。
【図１６】本発明ＩＣカードホルダーの他の実施形態を示す展開平面図である。
【図１７】図１６のＩＣカード保持シートの一方を積層した状態の平面図である。
【図１８】図１６のＩＣカード保持シートの両方を積層した状態の平面図である。
【図１９】従来技術のＩＣカードホルダーの側面図である。
【符号の説明】
【００２７】
１  ＩＣカード
２  ＩＣカード
３  ＩＣカード
４  ＩＣカード
５  導電体カード
Ａ  ＩＣカード保持シート
Ｂ  ＩＣカード保持シート
Ｃ  導電体カード保持シート
Ｄ  連結部
Ｅ  連結部
Ｆ、ｆ  面ファスナー
Ｇ、ｇ  面ファスナー
Ｈ、ｈ  面ファスナー
Ｉ、ｉ  面ファスナー
Ｊ、ｊ  面ファスナー
Ｋ  溶着線
Ｌ  挿入口
Ｒ  ＩＣカード保持シート
Ｓ  ＩＣカード保持シート
Ｘ  綴じ部
【図１】
2010020392.tif 000003
【図２】
2010020392.tif 000004
【図３】
2010020392.tif 000005
【図４】
2010020392.tif 000006
【図５】
2010020392.tif 000007
【図６】
2010020392.tif 000008
【図７】
2010020392.tif 000009
【図８】
2010020392.tif 000010
【図９】
2010020392.tif 000011
【図１０】
2010020392.tif 000012
【図１１】
2010020392.tif 000013
【図１２】
2010020392.tif 000014
【図１３】
2010020392.tif 000015
【図１４】
2010020392.tif 000016
【図１５】
2010020392.tif 000017
【図１６】
2010020392.tif 000018
【図１７】
2010020392.tif 000019
【図１８】
2010020392.tif 000020
【図１９】
2010020392.tif 000021
【手続補正書】
【提出日】平成20年11月12日(2008.11.12)
【手続補正１】
【補正対象書類名】明細書
【補正対象項目名】０００３
【補正方法】変更
【補正の内容】
【０００３】
また、フェライト等の電波吸収体（磁性体）層を、導電体シートの両側に設けないカードホルダー（特許文献３）が提案されている。
図１９（ａ）のように、特許文献３のカードホルダーは、導電体をシート状にした導電体カードを保持した導電体カード保持シートＣの両面に２枚のＩＣカード保持シートＡ及びＩＣカード保持シートＢを重ねて３枚積層シートの側縁の綴じ部Ｘで束ねた冊子形状を形成して、ＩＣカード保持シートＡのみを図１９（ｂ）のように水平に開くと、左側のＩＣカード保持シートＡ内の非接触式ＩＣカードのみがカードリーダと交信可能となり、右側の非接触式ＩＣカード保持シートＢは、導電体カード保持シートＣが密着しているので、カードリーダとの交信は遮断される。また、図１９（ｂ）から図１９（ｃ）のように導電体カード保持シートＣを垂直の状態を経由して反対側のＩＣカード保持シートＡの上に導電体カード保持シートＣを密着積層した状態にして、ＩＣカード保持シートＢのみを交信させることができる。
図１９のカードホルダーは、図１９（ｂ）の場合、ＩＣカード保持シートＢの上からの磁力線は導電体カードＣによって、完全に遮断される。しかし、ＩＣカード保持シートＢの下からの磁力線は、上に重ねられた導電体カード保持シートＣがＩＣカード保持シートＢに密着していないと完全に遮断されない。
このＩＣカードホルダーは、図１９（ｂ）のように開いた使用状態において、導電体カード保持シートＣとこれに密着したＩＣカード保持シートＢの密着状態を固定する手段がなく、交信しない非接触式ＩＣカード保持シートと導電体カード保持シートとの密着が固定されていないので、導電体カード保持シートが非接触式ＩＣカード保持シートＢの面から浮き上がり、非接触式ＩＣカード保持シートＢとカードリーダ面との混信が発生する欠点がある。
さらに、ＩＣカードホルダーの使用に際して、図１９（ａ）の３枚重ねのカードホルダーを開くときに導電体カード保持シートＣとＩＣカード保持シートＡの間を開くつもりで、導電体カード保持シートＣとＩＣカード保持シートＢとの間を間違えて開きやすい欠点がある。
そして、ポケット又は手提げ鞄等に入れて携帯するときに、冊子が開きやすく、ＩＣカードが導電体カードから離れるので、スキミングされる恐れが生じる。
また、冊子型の３枚重ねのカードホルダーは、綴じ部Ｘの３枚を同時に接合する構造の製造が困難となる問題点が生じる。
【特許文献１】特許第３６３０００６号公報
【特許文献２】特許第３８７２４９６号公報
【特許文献３】実用新案登録第３１１３６２０号公報
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
２枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの表面側に積層され、他方は導電体カード保持シートの裏面側に積層されるものであって、２枚のＩＣカード保持シートの内面には、導電体カード保持シート面を脱着自在に固定する嵌合形式の固定手段が設けてなり、該嵌合形式の固定手段がＩＣカード保持シートと導電体カード保持シートの積層時に当接する導電体カード保持シートの表面及び裏面の位置に前記嵌合形式の固定手段に嵌合する固定手段を有し、導電体カード保持シートを中間にして、導電体カード保持シートの表面側に１枚のＩＣカード保持シートを積層固定し、導電体カード保持シートの裏面側に他の１枚のＩＣカード保持シートを積層固定し、合計３枚の積層状態にして携帯できることを特徴とする非接触式ＩＣカードホルダー。
【請求項２】
２枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は積層された前記ＩＣカード保持シートの上に積層されるものであって、２枚のＩＣカード保持シートの少なくとも一方の内面の先端縁には、導電体カード保持シート面を脱着自在に固定する嵌合形式の固定手段が設けてなり、該嵌合形式の固定手段が導電体カード保持シートにＩＣカード保持シートを重ねた場合に該固定手段に嵌合する固定手段が導電体カード保持シート面に設けられてなり、さらに、該嵌合形式の固定手段が他方のＩＣカード保持シートとの積層時に当接する他方のＩＣカード保持シートの外面の位置に前記嵌合形式の固定手段に嵌合する固定手段を有し、導電体カード保持シートの内面側に、２枚のＩＣカード保持シートを２辺の連結部で折り重ねて積層固定し、合計３枚の積層状態にして携帯できることを特徴とする非接触式ＩＣカードホルダー。
【請求項３】
２枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は積層された前記ＩＣカード保持シートの上に積層されるものであって、２枚のＩＣカード保持シートの少なくとも一方の内面の先端縁には、導電体カード保持シート面を脱着自在に固定する嵌合形式の固定手段が設けてなり、該嵌合形式の固定手段が他方のＩＣカード保持シートの上に積層したときに当接する他方のＩＣカード保持シートの外面の位置に前記嵌合形式の固定手段に嵌合する固定手段を有し、導電体カード保持シートの内面側に、２枚のＩＣカード保持シートを左右から折り重ねて積層固定し、合計３枚の積層状態にして携帯できることを特徴とする非接触式ＩＣカードホルダー。
【請求項４】
２枚の長方形状のＩＣカード保持シート及び該ＩＣカード保持シートと略同寸同形の導電体カード保持シート１枚とからなり、２枚のＩＣカード保持シートの長方形状の１辺は、導電体カード保持シートの同一の長さの隣接する２辺との間の屈折自在の連結部を介して連結されてなり、２枚の長方形状のＩＣカード保持シートが導電体カード保持シートの片面に積層され、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面側の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートの内面側に、２枚のＩＣカード保持シートを縦横方向から折り重ねて積層固定し、合計３枚の積層状態にして携帯できることを特徴とする非接触式ＩＣカードホルダー。
【請求項５】
３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの表面又は裏面に、ＩＣカード保持シート面を重合積層した場合に、導電体カード保持シートの面とＩＣカード保持シート面とを脱着自在に固定する嵌合形式の固定手段を有し、導電体カード保持シートの片面に２枚のＩＣカード保持シートを重合積層するときは、さらに、既に積層されたＩＣカード保持シートの外面とその上に積層するＩＣカード保持シートの内面とを脱着自在に固定する固定手段を有し、導電体カード保持シートを中間にして、導電体カード保持シートの表面側に１〜２枚のＩＣカード保持シートを積層し、導電体カード保持シートの裏面側に１〜２枚のＩＣカード保持シートを積層し、合計４〜５枚の積層状態にして携帯できることを特徴とする非接触式ＩＣカードホルダー。
【請求項６】
３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの面に２枚のＩＣカード保持シートが積層重合される場合は、該２枚のＩＣカード保持シートは導電体カード保持シートの隣接する２辺に連結されていて、ＩＣカード保持シートから導電体カード保持シートを介して他方のＩＣカード保持シートにＬ字型に連結されてなり、該２枚のＩＣカード保持シートの先端縁には、導電体カード保持シートの面と固定する嵌合形式の脱着自在の固定手段を有し、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートを中間にして、導電体カード保持シートの表面側に１〜２枚のＩＣカード保持シートを固定し、導電体カード保持シートの裏面側に１〜２枚のＩＣカード保持シートを固定し、合計４〜５枚の積層状態にして携帯できることを特徴とする非接触式ＩＣカードホルダー。
【請求項７】
保持シート面の嵌合形式の嵌合固定手段が、１組の面ファスナーである請求項１〜６のいずれか記載の非接触式ＩＣカードホルダー。
【請求項８】
面ファスナーがテープ状面ファスナーである請求項７記載の非接触式ＩＣカードホルダー。
【請求項９】
保持シート面の嵌合形式の固定手段が１組の凹凸条嵌合型ジッパーである請求項１〜６のいずれか記載の非接触式ＩＣカードホルダー。
【請求項１０】
導電体カード保持シートの導電体カードが中央部に孔がある金属板である請求項１〜９のいずれか記載の非接触式ＩＣカードホルダー。
【請求項１１】
嵌合形式の固定手段が保持シート面の周縁に設けた請求項１〜１０のいずれか記載の非接触式ＩＣカードホルダー。
【請求項１２】
ＩＣカード保持シート及び導電体カード保持シートの材質がポリプロピレン樹脂シートである請求項１〜１１のいずれか記載の非接触式ＩＣカードホルダー。
【請求項１３】
ＩＣカード保持シート及び導電体カード保持シートの材質が皮又は合成皮革シートである請求項１〜１２のいずれか記載の非接触式ＩＣカードホルダー。
【請求項１４】
２〜４枚の長方形状のＩＣカード保持シート及び該ＩＣカード保持シートと略同寸同形の中央部に貫通孔を有する導電体カード保持シート１枚とからなり、各ＩＣカード保持シートの長方形状の１辺は、導電体カード保持シートの同一の長さの１辺との間の屈折自在の連結部を介して連結されていて、２〜４枚のＩＣカード保持シートの中の１〜２枚のＩＣカード保持シートは導電体カード保持シートの一方の面側に重合積層され、さらに、１〜２枚のＩＣカード保持シートは導電体カード保持シートの他方の面に振り分けて重合積層されるものであって、該積層中の導電体カード保持シートの表裏に直接積層される２枚のＩＣカード保持シートの内面の中央部には、ＩＣカード保持シート同士が互いに嵌合する脱着自在の固定手段を有し、該固定手段によって２枚のＩＣカード保持シートを導電体カード保持シートの貫通孔の位置で嵌合固定されて、導電体カード保持シートを中間にして合計３枚の積層状態を積層中に保有し、ＩＣカード保持シートを３〜４枚有する場合において、導電体カード保持シートの片面に２枚のＩＣカード保持シートが上下に積層されるとき、上層側のＩＣカード保持シートの内面及び下層側のＩＣカード保持シートの外面に互いに嵌合する脱着自在の固定手段を有し、合計３〜５枚の積層状態にして携帯できることを特徴とする非接触式ＩＣカードホルダー。
【請求項１５】
固定手段が面ファスナーである請求項１４記載の非接触式ＩＣカードホルダー。
【請求項１６】
ＩＣカード保持シートが２枚であり、各ＩＣカード保持シートの長方形状の１辺は、導電体カード保持シートの同一の長さの１辺との間の屈折自在の連結部を介して連結されていて、１枚のＩＣカード保持シートは導電体カード保持シートの一方の面側に重合積層され、他の１枚のＩＣカード保持シートは導電体カード保持シートの他方の面に振り分けて重合積層されるものであって、該積層中の導電体カード保持シートの表裏に直接積層される２枚のＩＣカード保持シートの内面の中央部には、ＩＣカード保持シート同士が互いに嵌合する脱着自在の固定手段を有し、該固定手段によって２枚のＩＣカード保持シートを導電体カード保持シートの貫通孔の位置で嵌合固定されて、導電体カード保持シートを中間にして合計３枚の積層状態にして携帯できる請求項１４又は１５記載の非接触式ＩＣカードホルダー。
【手続補正２】
【補正対象書類名】明細書
【補正対象項目名】０００５
【補正方法】変更
【補正の内容】
【０００５】
本発明者らは、ＩＣカードのアンテナとリーダアンテナとの交信を遮断するのは、導電体シートがＩＣカードのリーダアンテナから磁力線が照射される側の面に密着している場合のみではない。すなわち、磁力線が照射される側の裏面側に導電体シートがピッタリと密着している場合には、ＩＣカードのアンテナとリーダアンテナとの交信を確実に遮断する知見を得て、この知見に基づき、複数のＩＣカードと１枚の導電体シートの全体をまとめて積層した状態で持ち歩くことができ、カードリーダ面にＩＣカードの１枚を使用するときは、使用すべきＩＣカードを収納したＩＣカード保持シートのみが導電体シートの積層状態になく、他のＩＣカードは全て導電体シート面と密着固定された状態でカードホルダー全体をカードリーダ面にかざすことができるカードホルダーの構造を案出して本発明を完成した。
すなわち、本発明は、
（１）２枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの表面側に積層され、他方は導電体カード保持シートの裏面側に積層されるものであって、２枚のＩＣカード保持シートの内面には、導電体カード保持シート面を脱着自在に固定する嵌合形式の固定手段が設けてなり、該嵌合形式の固定手段がＩＣカード保持シートと導電体カード保持シートの積層時に当接する導電体カード保持シートの表面及び裏面の位置に前記嵌合形式の固定手段に嵌合する固定手段を有し、導電体カード保持シートを中間にして、導電体カード保持シートの表面側に１枚のＩＣカード保持シートを積層固定し、導電体カード保持シートの裏面側に他の１枚のＩＣカード保持シートを積層固定し、合計３枚の積層状態にして携帯できることを特徴とする非接触式ＩＣカードホルダー、
（２）２枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は積層された前記ＩＣカード保持シートの上に積層されるものであって、２枚のＩＣカード保持シートの少なくとも一方の内面の先端縁には、導電体カード保持シート面を脱着自在に固定する嵌合形式の固定手段が設けてなり、該嵌合形式の固定手段が導電体カード保持シートにＩＣカード保持シートを重ねた場合に該固定手段に嵌合する固定手段が導電体カード保持シート面に設けられてなり、さらに、該嵌合形式の固定手段が他方のＩＣカード保持シートとの積層時に当接する他方のＩＣカード保持シートの外面の位置に前記嵌合形式の固定手段に嵌合する固定手段を有し、導電体カード保持シートの内面側に、２枚のＩＣカード保持シートを２辺の連結部で折り重ねて積層固定し、合計３枚の積層状態にして携帯できることを特徴とする非接触式ＩＣカードホルダー、
（３）２枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は積層された前記ＩＣカード保持シートの上に積層されるものであって、２枚のＩＣカード保持シートの少なくとも一方の内面の先端縁には、導電体カード保持シート面を脱着自在に固定する嵌合形式の固定手段が設けてなり、該嵌合形式の固定手段が他方のＩＣカード保持シートの上に積層したときに当接する他方のＩＣカード保持シートの外面の位置に前記嵌合形式の固定手段に嵌合する固定手段を有し、導電体カード保持シートの内面側に、２枚のＩＣカード保持シートを左右から折り重ねて積層固定し、合計３枚の積層状態にして携帯できることを特徴とする非接触式ＩＣカードホルダー、
（４）２枚の長方形状のＩＣカード保持シート及び該ＩＣカード保持シートと略同寸同形の導電体カード保持シート１枚とからなり、２枚のＩＣカード保持シートの長方形状の１辺は、導電体カード保持シートの同一の長さの隣接する２辺との間の屈折自在の連結部を介して連結されてなり、２枚の長方形状のＩＣカード保持シートが導電体カード保持シートの片面に積層され、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面側の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートの内面側に、２枚のＩＣカード保持シートを縦横方向から折り重ねて積層固定し、合計３枚の積層状態にして携帯できることを特徴とする非接触式ＩＣカードホルダー、
（５）３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの表面又は裏面に、ＩＣカード保持シート面を重合積層した場合に、導電体カード保持シートの面とＩＣカード保持シート面とを脱着自在に固定する嵌合形式の固定手段を有し、導電体カード保持シートの片面に２枚のＩＣカード保持シートを重合積層するときは、さらに、既に積層されたＩＣカード保持シートの外面とその上に積層するＩＣカード保持シートの内面とを脱着自在に固定する固定手段を有し、導電体カード保持シートを中間にして、導電体カード保持シートの表面側に１〜２枚のＩＣカード保持シートを積層し、導電体カード保持シートの裏面側に１〜２枚のＩＣカード保持シートを積層し、合計４〜５枚の積層状態にして携帯できることを特徴とする非接触式ＩＣカードホルダー、
（６）３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの面に２枚のＩＣカード保持シートが積層重合される場合は、該２枚のＩＣカード保持シートは導電体カード保持シートの隣接する２辺に連結されていて、ＩＣカード保持シートから導電体カード保持シートを介して他方のＩＣカード保持シートにＬ字型に連結されてなり、該２枚のＩＣカード保持シートの先端縁には、導電体カード保持シートの面と固定する嵌合形式の脱着自在の固定手段を有し、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートを中間にして、導電体カード保持シートの表面側に１〜２枚のＩＣカード保持シートを固定し、導電体カード保持シートの裏面側に１〜２枚のＩＣカード保持シートを固定し、合計４〜５枚の積層状態にして携帯できることを特徴とする非接触式ＩＣカードホルダー、
（７）保持シート面の嵌合形式の嵌合固定手段が、１組の面ファスナーである(１)〜(６)項のいずれか記載の非接触式ＩＣカードホルダー、
（８）面ファスナーがテープ状面ファスナーである(７)項記載の非接触式ＩＣカードホルダー、
（９）保持シート面の嵌合形式の固定手段が１組の凹凸条嵌合型ジッパーである(１)〜(６)項のいずれか記載の非接触式ＩＣカードホルダー、
（１０）導電体カード保持シートの導電体カードが中央部に孔がある金属板である(１)〜(９)項のいずれか記載の非接触式ＩＣカードホルダー、
（１１）嵌合形式の固定手段が保持シート面の周縁に設けた(１)〜(１０)項のいずれか記載の非接触式ＩＣカードホルダー、
（１２）ＩＣカード保持シート及び導電体カード保持シートの材質がポリプロピレン樹脂シートである(１)〜(１１)項のいずれか記載の非接触式ＩＣカードホルダー、
（１３）ＩＣカード保持シート及び導電体カード保持シートの材質が皮又は合成皮革シートである(１)〜(１２)項のいずれか記載の非接触式ＩＣカードホルダー、
（１４）２〜４枚の長方形状のＩＣカード保持シート及び該ＩＣカード保持シートと略同寸同形の中央部に貫通孔を有する導電体カード保持シート１枚とからなり、各ＩＣカード保持シートの長方形状の１辺は、導電体カード保持シートの同一の長さの１辺との間の屈折自在の連結部を介して連結されていて、２〜４枚のＩＣカード保持シートの中の１〜２枚のＩＣカード保持シートは導電体カード保持シートの一方の面側に重合積層され、さらに、１〜２枚のＩＣカード保持シートは導電体カード保持シートの他方の面に振り分けて重合積層されるものであって、該積層中の導電体カード保持シートの表裏に直接積層される２枚のＩＣカード保持シートの内面の中央部には、ＩＣカード保持シート同士が互いに嵌合する脱着自在の固定手段を有し、該固定手段によって２枚のＩＣカード保持シートを導電体カード保持シートの貫通孔の位置で嵌合固定されて、導電体カード保持シートを中間にして合計３枚の積層状態を積層中に保有し、ＩＣカード保持シートを３〜４枚有する場合において、導電体カード保持シートの片面に２枚のＩＣカード保持シートが上下に積層されるとき、上層側のＩＣカード保持シートの内面及び下層側のＩＣカード保持シートの外面に互いに嵌合する脱着自在の固定手段を有し、合計３〜５枚の積層状態にして携帯できることを特徴とする非接触式ＩＣカードホルダー、
（１５）固定手段が面ファスナーである(１４)項記載の非接触式ＩＣカードホルダー、及び
（１６）ＩＣカード保持シートが２枚であり、各ＩＣカード保持シートの長方形状の１辺は、導電体カード保持シートの同一の長さの１辺との間の屈折自在の連結部を介して連結されていて、１枚のＩＣカード保持シートは導電体カード保持シートの一方の面側に重合積層され、他の１枚のＩＣカード保持シートは導電体カード保持シートの他方の面に振り分けて重合積層されるものであって、該積層中の導電体カード保持シートの表裏に直接積層される２枚のＩＣカード保持シートの内面の中央部には、ＩＣカード保持シート同士が互いに嵌合する脱着自在の固定手段を有し、該固定手段によって２枚のＩＣカード保持シートを導電体カード保持シートの貫通孔の位置で嵌合固定されて、導電体カード保持シートを中間にして合計３枚の積層状態にして携帯できる(１４)又は(１５)記載の非接触式ＩＣカードホルダー、
を提供するものである。
さらに、本発明の好ましい態様として、
（１７）ＩＣカード保持シートが長方形状シートの３辺を閉鎖してなる袋体であり、該袋体は、長方形状の１辺に開口部を有するものである(１)〜(１６)項記載の非接触式ＩＣカードホルダー、
（１８）ＩＣカード保持シート及び導電体カード保持シートが、布である(１)〜(１７)項記載の非接触式ＩＣカードホルダー、
（１９）導電体カード保持シートの導電体が厚さ０.０５〜３ｍｍの金属板である(１)〜(１８)項記載の非接触式ＩＣカードホルダー、及び
（２０）導電体カードが金属アルミである(１)〜(１９)項記載の非接触式ＩＣカードホルダー、
を挙げることができる。
【手続補正３】
【補正対象書類名】明細書
【補正対象項目名】００２３
【補正方法】変更
【補正の内容】
【００２３】
図１６の展開平面図の導電体カード保持シートの他の辺に、ＩＣカード保持シートをさらに１〜２枚連結することができる（前記（１４）項の態様）。ここに増加されたＩＣカード保持シートには、他の２枚のＩＣカード保持シートと同様に、内面の中央に面ファスナーを設けることが望ましい。そして、この面ファスナーは、既に積層されているＩＣカード保持シートの外面の中央部に設けた面ファスナーと嵌合形式で固定することができる。ＩＣカード保持シートが２枚の場合の図１６の場合は、ＩＣカード保持シートの外面の中央部に面ファスナーを設ける必要がない。ＩＣカード保持シートが３枚以上になると、２枚のＩＣカード保持シートを設ける面のＩＣカード保持シートの外面に面ファスナーを設ける必要が生じる。２枚のＩＣカード保持シートを導電体カード保持シートの片面に積層する場合の面ファスナーの位置は必ずしもＩＣカード保持シートの中央部である必要はなく、両面が当接する位置であれば、側縁に設けることができる。
この３〜４枚のＩＣカード保持シートを用いる態様においては、導電体カード保持シートの片面に２枚のＩＣカード保持シートが重ねられる場合に、両方のＩＣカード保持シートの内面の中央部に面ファスナーを設け、両方のＩＣカード保持シートの外面の中央部に面ファスナーを設けておくと、２枚を重ねる順序に関係なく、同様に、片面に２枚の積層状態を形成することができ、携帯に際して、積層順序を注意する必要がないので、便利である。
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
２枚の長方形状のＩＣカード保持シート及び該ＩＣカード保持シートと略同寸同形の導電体カード保持シート１枚とからなり、２枚の長方形状のＩＣカード保持シートのそれぞれは、導電体カード保持シートの互いに隣接する側縁に繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの表面側に積層され、他方は導電体カード保持シートの裏面側に積層されるものであって、２枚のＩＣカード保持シートの内面には、導電体カード保持シート面を脱着自在に固定する嵌合形式の固定手段が設けてなり、該嵌合形式の固定手段がＩＣカード保持シートと導電体カード保持シートの積層時に当接する導電体カード保持シートの表面及び裏面の位置に前記嵌合形式の固定手段に嵌合する固定手段を有し、導電体カード保持シートを中間にして、導電体カード保持シートの表面側に１枚のＩＣカード保持シートを積層固定し、導電体カード保持シートの裏面側に他の１枚のＩＣカード保持シートを積層固定し、合計３枚の積層状態にして携帯できることを特徴とする非接触式ＩＣカードホルダー。
【請求項２】
２枚の長方形状のＩＣカード保持シート及び該ＩＣカード保持シートと略同寸同形の導電体カード保持シート１枚とからなり、２枚の長方形状のＩＣカード保持シートのそれぞれは、導電体カード保持シートの異なる側縁に繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は既に積層されている前記ＩＣカード保持シートの上に重ねて積層されるものであって、２枚のＩＣカード保持シートの少なくとも一方の内面の先端縁には、導電体カード保持シート面を脱着自在に固定する嵌合形式の固定手段が設けてなり、導電体カード保持シートの面にＩＣカード保持シートを重ねた場合にＩＣカード保持シートの先端縁の嵌合形式の固定手段に嵌合する固定手段が導電体カード保持シート面に設けられてなり、さらに、先に積層されているＩＣカード保持シートとの積層時に既に積層されているＩＣカード保持シートの外面上の該嵌合形式の固定手段が当接する位置に該嵌合形式の固定手段に嵌合する固定手段を有し、導電体カード保持シートの内面側に、２枚のＩＣカード保持シートを２辺の連結部で折り重ねて積層固定し、合計３枚の積層状態にして携帯できることを特徴とする非接触式ＩＣカードホルダー。
【請求項３】
２枚の長方形状のＩＣカード保持シート及び該ＩＣカード保持シートと略同寸同形の導電体カード保持シート１枚とからなり、２枚の長方形状のＩＣカード保持シートのそれぞれは、長方形状の導電体カード保持シートの対向する両側縁にそれぞれ繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は既に積層されているＩＣカード保持シートの上に重ねて積層されるものであって、２枚のＩＣカード保持シートの少なくとも一方の内面の先端縁には、導電体カード保持シート面を脱着自在に固定する嵌合形式の固定手段が設けてなり、先に積層されているＩＣカード保持シートの上に他方のＩＣカード保持シートを重ねて積層したときに、先に積層されているＩＣカード保持シートの外面において、前記嵌合形式の固定手段が当接する位置に前記嵌合形式の固定手段に嵌合する固定手段を有し、導電体カード保持シートの内面側に、２枚のＩＣカード保持シートを左右から折り重ねて積層固定し、合計３枚の積層状態にして携帯できることを特徴とする非接触式ＩＣカードホルダー。
【請求項４】
２枚の長方形状のＩＣカード保持シート及び該ＩＣカード保持シートと略同寸同形の導電体カード保持シート１枚とからなり、２枚のＩＣカード保持シートのそれぞれの長方形状の１辺は、導電体カード保持シートの同一の長さの隣接する１辺との間の屈折自在の連結部を介して連結されてなり、２枚の長方形状のＩＣカード保持シートが導電体カード保持シートの片面に積層され、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面側の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートの内面側に、２枚のＩＣカード保持シートを縦横方向から折り重ねて積層固定し、合計３枚の積層状態にして携帯できることを特徴とする非接触式ＩＣカードホルダー。
【請求項５】
３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの表面又は裏面に、ＩＣカード保持シート面を重合積層した場合に、導電体カード保持シートの面とＩＣカード保持シート面とを脱着自在に固定する嵌合形式の固定手段を有し、導電体カード保持シートの片面に２枚のＩＣカード保持シートを重合積層するときは、さらに、既に積層されたＩＣカード保持シートの外面とその上に積層するＩＣカード保持シートの内面とを脱着自在に固定する固定手段を有し、導電体カード保持シートを中間にして、導電体カード保持シートの表面側に１〜２枚のＩＣカード保持シートを積層し、導電体カード保持シートの裏面側に１〜２枚のＩＣカード保持シートを積層し、合計４〜５枚の積層状態にして携帯できることを特徴とする非接触式ＩＣカードホルダー。
【請求項６】
３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの面に２枚のＩＣカード保持シートが積層重合される場合は、該２枚のＩＣカード保持シートは導電体カード保持シートの隣接する２辺に連結されていて、ＩＣカード保持シートから導電体カード保持シートを介して他方のＩＣカード保持シートにＬ字型に連結されてなり、該２枚のＩＣカード保持シートの先端縁には、導電体カード保持シートの面と固定する嵌合形式の脱着自在の固定手段を有し、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートを中間にして、導電体カード保持シートの表面側に１〜２枚のＩＣカード保持シートを固定し、導電体カード保持シートの裏面側に１〜２枚のＩＣカード保持シートを固定し、合計４〜５枚の積層状態にして携帯できることを特徴とする非接触式ＩＣカードホルダー。
【請求項７】
保持シート面の嵌合形式の嵌合固定手段が、１組の面ファスナーである請求項１〜６のいずれか記載の非接触式ＩＣカードホルダー。
【請求項８】
面ファスナーがテープ状面ファスナーである請求項７記載の非接触式ＩＣカードホルダー。
【請求項９】
保持シート面の嵌合形式の固定手段が１組の凹凸条嵌合型ジッパーである請求項１〜６のいずれか記載の非接触式ＩＣカードホルダー。
【請求項１０】
導電体カード保持シートの導電体カードが中央部に孔がある金属板である請求項１〜９のいずれか記載の非接触式ＩＣカードホルダー。
【請求項１１】
２枚の長方形状のＩＣカード保持シート及び該ＩＣカード保持シートと略同寸同形の導電体カード保持シートであって、中央部に孔がある金属板を有する導電体カード保持シート１枚とからなり、２枚の長方形状のＩＣカード保持シートのそれぞれは、導電体カード保持シートの互いに対向する側縁に繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの表面側に積層され、他方は導電体カード保持シートの裏面側に積層されるものであって、２枚のＩＣカード保持シートの内面には、導電体カード保持シート面を脱着自在に固定する嵌合形式の固定手段が設けてなり、該嵌合形式の固定手段がＩＣカード保持シートと導電体カード保持シートの積層時に当接する導電体カード保持シートの表面及び裏面の位置に前記嵌合形式の固定手段に嵌合する固定手段を有し、導電体カード保持シートを中間にして、導電体カード保持シートの表面側に１枚のＩＣカード保持シートを積層固定し、導電体カード保持シートの裏面側に他の１枚のＩＣカード保持シートを積層固定し、合計３枚の積層状態にして携帯できることを特徴とする非接触式ＩＣカードホルダー。
【請求項１２】
嵌合形式の固定手段が保持シート面の周縁に設けた請求項１〜１１のいずれか記載の非接触式ＩＣカードホルダー。
【請求項１３】
ＩＣカード保持シート及び導電体カード保持シートの材質がポリプロピレン樹脂シートである請求項１〜１２のいずれか記載の非接触式ＩＣカードホルダー。
【請求項１４】
ＩＣカード保持シート及び導電体カード保持シートの材質が皮又は合成皮革シートである請求項１〜１３のいずれか記載の非接触式ＩＣカードホルダー。
【請求項１５】
２〜４枚の長方形状のＩＣカード保持シート及び該ＩＣカード保持シートと略同寸同形の中央部に貫通孔を有する導電体カード保持シート１枚とからなり、各ＩＣカード保持シートの長方形状の１辺は、導電体カード保持シートの同一の長さの１辺との間の屈折自在の連結部を介して連結されていて、２〜４枚のＩＣカード保持シートの中の１〜２枚のＩＣカード保持シートは導電体カード保持シートの一方の面側に重合積層され、さらに、１〜２枚のＩＣカード保持シートは導電体カード保持シートの他方の面に振り分けて重合積層されるものであって、該積層中の導電体カード保持シートの表裏に直接積層される２枚のＩＣカード保持シートの内面の中央部には、ＩＣカード保持シート同士が互いに嵌合する脱着自在の固定手段を有し、該固定手段によって２枚のＩＣカード保持シートを導電体カード保持シートの貫通孔の位置で嵌合固定されて、導電体カード保持シートを中間にして合計３枚の積層状態を積層中に保有し、ＩＣカード保持シートを３〜４枚有する場合において、導電体カード保持シートの片面に２枚のＩＣカード保持シートが上下に積層されるとき、上層側のＩＣカード保持シートの内面及び下層側のＩＣカード保持シートの外面に互いに嵌合する脱着自在の固定手段を有し、合計３〜５枚の積層状態にして携帯できることを特徴とする非接触式ＩＣカードホルダー。
【請求項１６】
固定手段が面ファスナーである請求項１５記載の非接触式ＩＣカードホルダー。
【請求項１７】
ＩＣカード保持シートが２枚であり、各ＩＣカード保持シートの長方形状の１辺は、導電体カード保持シートの同一の長さの１辺との間の屈折自在の連結部を介して連結されていて、１枚のＩＣカード保持シートは導電体カード保持シートの一方の面側に重合積層され、他の１枚のＩＣカード保持シートは導電体カード保持シートの他方の面に振り分けて重合積層されるものであって、該積層中の導電体カード保持シートの表裏に直接積層される２枚のＩＣカード保持シートの内面の中央部には、ＩＣカード保持シート同士が互いに嵌合する脱着自在の固定手段を有し、該固定手段によって２枚のＩＣカード保持シートを導電体カード保持シートの貫通孔の位置で嵌合固定されて、導電体カード保持シートを中間にして合計３枚の積層状態にして携帯できる請求項１５又は１６記載の非接触式ＩＣカードホルダー。
【手続補正２】
【補正対象書類名】明細書
【補正対象項目名】０００５
【補正方法】変更
【補正の内容】
【０００５】
本発明者らは、ＩＣカードのアンテナとリーダアンテナとの交信を遮断するのは、導電体シートがＩＣカードのリーダアンテナから磁力線が照射される側の面に密着している場合のみではない。すなわち、磁力線が照射される側の裏面側に導電体シートがピッタリと密着している場合には、ＩＣカードのアンテナとリーダアンテナとの交信を確実に遮断する知見を得て、この知見に基づき、複数のＩＣカードと１枚の導電体シートの全体をまとめて積層した状態で持ち歩くことができ、カードリーダ面にＩＣカードの１枚を使用するときは、使用すべきＩＣカードを収納したＩＣカード保持シートのみが導電体シートの積層状態になく、他のＩＣカードは全て導電体シート面と密着固定された状態でカードホルダー全体をカードリーダ面にかざすことができるカードホルダーの構造を案出して本発明を完成した。
すなわち、本発明は、
（１）２枚の長方形状のＩＣカード保持シート及び該ＩＣカード保持シートと略同寸同形の導電体カード保持シート１枚とからなり、２枚の長方形状のＩＣカード保持シートのそれぞれは、導電体カード保持シートの互いに隣接する側縁に繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの表面側に積層され、他方は導電体カード保持シートの裏面側に積層されるものであって、２枚のＩＣカード保持シートの内面には、導電体カード保持シート面を脱着自在に固定する嵌合形式の固定手段が設けてなり、該嵌合形式の固定手段がＩＣカード保持シートと導電体カード保持シートの積層時に当接する導電体カード保持シートの表面及び裏面の位置に前記嵌合形式の固定手段に嵌合する固定手段を有し、導電体カード保持シートを中間にして、導電体カード保持シートの表面側に１枚のＩＣカード保持シートを積層固定し、導電体カード保持シートの裏面側に他の１枚のＩＣカード保持シートを積層固定し、合計３枚の積層状態にして携帯できることを特徴とする非接触式ＩＣカードホルダー、
（２）２枚の長方形状のＩＣカード保持シート及び該ＩＣカード保持シートと略同寸同形の導電体カード保持シート１枚とからなり、２枚の長方形状のＩＣカード保持シートのそれぞれは、導電体カード保持シートの異なる側縁に繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は既に積層されている前記ＩＣカード保持シートの上に重ねて積層されるものであって、２枚のＩＣカード保持シートの少なくとも一方の内面の先端縁には、導電体カード保持シート面を脱着自在に固定する嵌合形式の固定手段が設けてなり、導電体カード保持シートの面にＩＣカード保持シートを重ねた場合にＩＣカード保持シートの先端縁の嵌合形式の固定手段に嵌合する固定手段が導電体カード保持シート面に設けられてなり、さらに、先に積層されているＩＣカード保持シートとの積層時に既に積層されているＩＣカード保持シートの外面上の該嵌合形式の固定手段が当接する位置に該嵌合形式の固定手段に嵌合する固定手段を有し、導電体カード保持シートの内面側に、２枚のＩＣカード保持シートを２辺の連結部で折り重ねて積層固定し、合計３枚の積層状態にして携帯できることを特徴とする非接触式ＩＣカードホルダー、
（３）２枚の長方形状のＩＣカード保持シート及び該ＩＣカード保持シートと略同寸同形の導電体カード保持シート１枚とからなり、２枚の長方形状のＩＣカード保持シートのそれぞれは、長方形状の導電体カード保持シートの対向する両側縁にそれぞれ繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は既に積層されているＩＣカード保持シートの上に重ねて積層されるものであって、２枚のＩＣカード保持シートの少なくとも一方の内面の先端縁には、導電体カード保持シート面を脱着自在に固定する嵌合形式の固定手段が設けてなり、先に積層されているＩＣカード保持シートの上に他方のＩＣカード保持シートを重ねて積層したときに、先に積層されているＩＣカード保持シートの外面において、前記嵌合形式の固定手段が当接する位置に前記嵌合形式の固定手段に嵌合する固定手段を有し、導電体カード保持シートの内面側に、２枚のＩＣカード保持シートを左右から折り重ねて積層固定し、合計３枚の積層状態にして携帯できることを特徴とする非接触式ＩＣカードホルダー、
（４）２枚の長方形状のＩＣカード保持シート及び該ＩＣカード保持シートと略同寸同形の導電体カード保持シート１枚とからなり、２枚のＩＣカード保持シートのそれぞれの長方形状の１辺は、導電体カード保持シートの同一の長さの隣接する１辺との間の屈折自在の連結部を介して連結されてなり、２枚の長方形状のＩＣカード保持シートが導電体カード保持シートの片面に積層され、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面側の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートの内面側に、２枚のＩＣカード保持シートを縦横方向から折り重ねて積層固定し、合計３枚の積層状態にして携帯できることを特徴とする非接触式ＩＣカードホルダー、
（５）３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの表面又は裏面に、ＩＣカード保持シート面を重合積層した場合に、導電体カード保持シートの面とＩＣカード保持シート面とを脱着自在に固定する嵌合形式の固定手段を有し、導電体カード保持シートの片面に２枚のＩＣカード保持シートを重合積層するときは、さらに、既に積層されたＩＣカード保持シートの外面とその上に積層するＩＣカード保持シートの内面とを脱着自在に固定する固定手段を有し、導電体カード保持シートを中間にして、導電体カード保持シートの表面側に１〜２枚のＩＣカード保持シートを積層し、導電体カード保持シートの裏面側に１〜２枚のＩＣカード保持シートを積層し、合計４〜５枚の積層状態にして携帯できることを特徴とする非接触式ＩＣカードホルダー、
（６）３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの面に２枚のＩＣカード保持シートが積層重合される場合は、該２枚のＩＣカード保持シートは導電体カード保持シートの隣接する２辺に連結されていて、ＩＣカード保持シートから導電体カード保持シートを介して他方のＩＣカード保持シートにＬ字型に連結されてなり、該２枚のＩＣカード保持シートの先端縁には、導電体カード保持シートの面と固定する嵌合形式の脱着自在の固定手段を有し、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートを中間にして、導電体カード保持シートの表面側に１〜２枚のＩＣカード保持シートを固定し、導電体カード保持シートの裏面側に１〜２枚のＩＣカード保持シートを固定し、合計４〜５枚の積層状態にして携帯できることを特徴とする非接触式ＩＣカードホルダー、
（７）保持シート面の嵌合形式の嵌合固定手段が、１組の面ファスナーである(１)〜(６)項のいずれか記載の非接触式ＩＣカードホルダー、
（８）面ファスナーがテープ状面ファスナーである(７)項記載の非接触式ＩＣカードホルダー、
（９）保持シート面の嵌合形式の固定手段が１組の凹凸条嵌合型ジッパーである(１)〜(６)項のいずれか記載の非接触式ＩＣカードホルダー、
（１０）導電体カード保持シートの導電体カードが中央部に孔がある金属板である(１)〜(９)項のいずれか記載の非接触式ＩＣカードホルダー、
（１１）２枚の長方形状のＩＣカード保持シート及び該ＩＣカード保持シートと略同寸同形の導電体カード保持シートであって、中央部に孔がある金属板を有する導電体カード保持シート１枚とからなり、２枚の長方形状のＩＣカード保持シートのそれぞれは、導電体カード保持シートの互いに対向する側縁に繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの表面側に積層され、他方は導電体カード保持シートの裏面側に積層されるものであって、２枚のＩＣカード保持シートの内面には、導電体カード保持シート面を脱着自在に固定する嵌合形式の固定手段が設けてなり、該嵌合形式の固定手段がＩＣカード保持シートと導電体カード保持シートの積層時に当接する導電体カード保持シートの表面及び裏面の位置に前記嵌合形式の固定手段に嵌合する固定手段を有し、導電体カード保持シートを中間にして、導電体カード保持シートの表面側に１枚のＩＣカード保持シートを積層固定し、導電体カード保持シートの裏面側に他の１枚のＩＣカード保持シートを積層固定し、合計３枚の積層状態にして携帯できることを特徴とする非接触式ＩＣカードホルダー、
（１２）嵌合形式の固定手段が保持シート面の周縁に設けた(１)〜(１１)項のいずれか記載の非接触式ＩＣカードホルダー、
（１３）ＩＣカード保持シート及び導電体カード保持シートの材質がポリプロピレン樹脂シートである(１)〜(１２)項のいずれか記載の非接触式ＩＣカードホルダー、
（１４）ＩＣカード保持シート及び導電体カード保持シートの材質が皮又は合成皮革シートである(１)〜(１３)項のいずれか記載の非接触式ＩＣカードホルダー、
（１５）２〜４枚の長方形状のＩＣカード保持シート及び該ＩＣカード保持シートと略同寸同形の中央部に貫通孔を有する導電体カード保持シート１枚とからなり、各ＩＣカード保持シートの長方形状の１辺は、導電体カード保持シートの同一の長さの１辺との間の屈折自在の連結部を介して連結されていて、２〜４枚のＩＣカード保持シートの中の１〜２枚のＩＣカード保持シートは導電体カード保持シートの一方の面側に重合積層され、さらに、１〜２枚のＩＣカード保持シートは導電体カード保持シートの他方の面に振り分けて重合積層されるものであって、該積層中の導電体カード保持シートの表裏に直接積層される２枚のＩＣカード保持シートの内面の中央部には、ＩＣカード保持シート同士が互いに嵌合する脱着自在の固定手段を有し、該固定手段によって２枚のＩＣカード保持シートを導電体カード保持シートの貫通孔の位置で嵌合固定されて、導電体カード保持シートを中間にして合計３枚の積層状態を積層中に保有し、ＩＣカード保持シートを３〜４枚有する場合において、導電体カード保持シートの片面に２枚のＩＣカード保持シートが上下に積層されるとき、上層側のＩＣカード保持シートの内面及び下層側のＩＣカード保持シートの外面に互いに嵌合する脱着自在の固定手段を有し、合計３〜５枚の積層状態にして携帯できることを特徴とする非接触式ＩＣカードホルダー、
（１６）固定手段が面ファスナーである(１５)記載の非接触式ＩＣカードホルダー、及び
（１７）ＩＣカード保持シートが２枚であり、各ＩＣカード保持シートの長方形状の１辺は、導電体カード保持シートの同一の長さの１辺との間の屈折自在の連結部を介して連結されていて、１枚のＩＣカード保持シートは導電体カード保持シートの一方の面側に重合積層され、他の１枚のＩＣカード保持シートは導電体カード保持シートの他方の面に振り分けて重合積層されるものであって、該積層中の導電体カード保持シートの表裏に直接積層される２枚のＩＣカード保持シートの内面の中央部には、ＩＣカード保持シート同士が互いに嵌合する脱着自在の固定手段を有し、該固定手段によって２枚のＩＣカード保持シートを導電体カード保持シートの貫通孔の位置で嵌合固定されて、導電体カード保持シートを中間にして合計３枚の積層状態にして携帯できる(１５)又は(１６)記載の非接触式ＩＣカードホルダー、
を提供するものである。
さらに、本発明の好ましい態様として、
（１８）ＩＣカード保持シートが長方形状シートの３辺を閉鎖してなる袋体であり、該袋体は、長方形状の１辺に開口部を有するものである(１)〜(１７)項記載の非接触式ＩＣカードホルダー、
（１９）ＩＣカード保持シート及び導電体カード保持シートが、布である(１)〜(１８)項記載の非接触式ＩＣカードホルダー、
（２０）導電体カード保持シートの導電体が厚さ０.０５〜３ｍｍの金属板である(１)〜(１９)項記載の非接触式ＩＣカードホルダー、及び
（２１）導電体カードが金属アルミである(１)〜(２０)項記載の非接触式ＩＣカードホルダー、
を挙げることができる。
【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
２枚の長方形状のＩＣカード保持シート及び該ＩＣカード保持シートと略同寸同形の導電体カード保持シート１枚とからなり、２枚の長方形状のＩＣカード保持シートのそれぞれは、導電体カード保持シートの互いに隣接する側縁に繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの表面側に積層され、他方は導電体カード保持シートの裏面側に積層されるものであって、２枚のＩＣカード保持シートの内面には、導電体カード保持シート面を脱着自在に固定する嵌合形式の固定手段が設けてなり、該嵌合形式の固定手段がＩＣカード保持シートと導電体カード保持シートの積層時に当接する導電体カード保持シートの表面及び裏面の位置に前記嵌合形式の固定手段に嵌合する固定手段を有し、導電体カード保持シートを中間にして、導電体カード保持シートの表面側に１枚のＩＣカード保持シートを積層固定し、導電体カード保持シートの裏面側に他の１枚のＩＣカード保持シートを積層固定し、合計３枚の積層状態にして携帯できることを特徴とする非接触式ＩＣカードホルダー。
【請求項２】
２枚の長方形状のＩＣカード保持シート及び該ＩＣカード保持シートと略同寸同形の導電体カード保持シート１枚とからなり、２枚の長方形状のＩＣカード保持シートのそれぞれは、導電体カード保持シートの異なる側縁に繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は既に積層されている前記ＩＣカード保持シートの上に重ねて積層されるものであって、２枚のＩＣカード保持シートの少なくとも一方の内面の先端縁には、導電体カード保持シート面を脱着自在に固定する嵌合形式のテープ状面ファスナーの固定手段が設けてなり、導電体カード保持シートの面にＩＣカード保持シートを重ねた場合にＩＣカード保持シートの先端縁のテープ状面ファスナー形式の固定手段に嵌合するテープ状面ファスナー形式の固定手段が導電体カード保持シート面に設けられてなり、さらに、先に積層されているＩＣカード保持シートとの積層時に既に積層されているＩＣカード保持シートの外面上の該嵌合形式のテープ状面ファスナーの固定手段が当接する位置に該嵌合形式のテープ状面ファスナーの固定手段に嵌合するテープ状面ファスナーの固定手段を有し、導電体カード保持シートの内面側に、２枚のＩＣカード保持シートを２辺の連結部で折り重ねて積層固定し、合計３枚の積層状態にして携帯できることを特徴とする非接触式ＩＣカードホルダー。
【請求項３】
２枚の長方形状のＩＣカード保持シート及び該ＩＣカード保持シートと略同寸同形の導電体カード保持シート１枚とからなり、２枚の長方形状のＩＣカード保持シートのそれぞれは、長方形状の導電体カード保持シートの対向する両側縁にそれぞれ繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は既に積層されているＩＣカード保持シートの上に重ねて積層されるものであって、２枚のＩＣカード保持シートの少なくとも一方の内面の先端縁には、導電体カード保持シート面を脱着自在に固定する嵌合形式のテープ状面ファスナーの固定手段が設けてなり、先に積層されているＩＣカード保持シートの上に他方のＩＣカード保持シートを重ねて積層したときに、先に積層されているＩＣカード保持シートの外面において、前記嵌合形式のテープ状面ファスナーの固定手段が当接する位置に前記嵌合形式のテープ状面ファスナーの固定手段に嵌合するテープ状面ファスナーの固定手段を有し、導電体カード保持シートの内面側に、２枚のＩＣカード保持シートを左右から折り重ねて積層固定し、合計３枚の積層状態にして携帯できることを特徴とする非接触式ＩＣカードホルダー。
【請求項４】
２枚の長方形状のＩＣカード保持シート及び該ＩＣカード保持シートと略同寸同形の導電体カード保持シート１枚とからなり、２枚のＩＣカード保持シートのそれぞれの長方形状の１辺は、導電体カード保持シートの同一の長さの隣接する１辺との間の屈折自在の連結部を介して連結されてなり、２枚の長方形状のＩＣカード保持シートが導電体カード保持シートの片面に積層され、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面側の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートの内面側に、２枚のＩＣカード保持シートを縦横方向から折り重ねて積層固定し、合計３枚の積層状態にして携帯できることを特徴とする非接触式ＩＣカードホルダー。
【請求項５】
３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの表面又は裏面に、ＩＣカード保持シート面を重合積層した場合に、導電体カード保持シートの面とＩＣカード保持シート面とを脱着自在に固定する嵌合形式の固定手段を有し、導電体カード保持シートの片面に２枚のＩＣカード保持シートを重合積層するときは、さらに、既に積層されたＩＣカード保持シートの外面とその上に積層するＩＣカード保持シートの内面とを脱着自在に固定する固定手段を有し、導電体カード保持シートを中間にして、導電体カード保持シートの表面側に１〜２枚のＩＣカード保持シートを積層し、導電体カード保持シートの裏面側に１〜２枚のＩＣカード保持シートを積層し、合計４〜５枚の積層状態にして携帯できることを特徴とする非接触式ＩＣカードホルダー。
【請求項６】
３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの面に２枚のＩＣカード保持シートが積層重合される場合は、該２枚のＩＣカード保持シートは導電体カード保持シートの隣接する２辺に連結されていて、ＩＣカード保持シートから導電体カード保持シートを介して他方のＩＣカード保持シートにＬ字型に連結されてなり、該２枚のＩＣカード保持シートの先端縁には、導電体カード保持シートの面と固定する嵌合形式の脱着自在の固定手段を有し、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートを中間にして、導電体カード保持シートの表面側に１〜２枚のＩＣカード保持シートを固定し、導電体カード保持シートの裏面側に１〜２枚のＩＣカード保持シートを固定し、合計４〜５枚の積層状態にして携帯できることを特徴とする非接触式ＩＣカードホルダー。
【請求項７】
保持シート面の嵌合形式の嵌合固定手段が、１組のテープ状面ファスナーである請求項４〜６のいずれか記載の非接触式ＩＣカードホルダー。
【請求項８】
保持シート面の嵌合形式の固定手段が１組の凹凸条嵌合型ジッパーである請求項４〜６のいずれか記載の非接触式ＩＣカードホルダー。
【請求項９】
導電体カード保持シートの導電体カードが中央部に孔がある金属板である請求項１〜８のいずれか記載の非接触式ＩＣカードホルダー。
【請求項１０】
２枚の長方形状のＩＣカード保持シート及び該ＩＣカード保持シートと略同寸同形の導電体カード保持シートであって、中央部に孔がある金属板を有する導電体カード保持シート１枚とからなり、２枚の長方形状のＩＣカード保持シートのそれぞれは、導電体カード保持シートの互いに対向する側縁に繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの表面側に積層され、他方は導電体カード保持シートの裏面側に積層されるものであって、２枚のＩＣカード保持シートの内面には、導電体カード保持シート面を脱着自在に固定する嵌合形式の固定手段が設けてなり、該嵌合形式の固定手段がＩＣカード保持シートと導電体カード保持シートの積層時に当接する導電体カード保持シートの表面及び裏面の位置に前記嵌合形式の固定手段に嵌合する固定手段を有し、導電体カード保持シートを中間にして、導電体カード保持シートの表面側に１枚のＩＣカード保持シートを積層固定し、導電体カード保持シートの裏面側に他の１枚のＩＣカード保持シートを積層固定し、合計３枚の積層状態にして携帯できることを特徴とする非接触式ＩＣカードホルダー。
【請求項１１】
嵌合形式の固定手段が保持シート面の周縁に設けた請求項１〜１０のいずれか記載の非接触式ＩＣカードホルダー。
【請求項１２】
ＩＣカード保持シート及び導電体カード保持シートの材質がポリプロピレン樹脂シートである請求項１〜１１のいずれか記載の非接触式ＩＣカードホルダー。
【請求項１３】
ＩＣカード保持シート及び導電体カード保持シートの材質が皮又は合成皮革シートである請求項１〜１２のいずれか記載の非接触式ＩＣカードホルダー。
【請求項１４】
２〜４枚の長方形状のＩＣカード保持シート及び該ＩＣカード保持シートと略同寸同形の中央部に貫通孔を有する導電体カード保持シート１枚とからなり、各ＩＣカード保持シートの長方形状の１辺は、導電体カード保持シートの同一の長さの１辺との間の屈折自在の連結部を介して連結されていて、２〜４枚のＩＣカード保持シートの中の１〜２枚のＩＣカード保持シートは導電体カード保持シートの一方の面側に重合積層され、さらに、１〜２枚のＩＣカード保持シートは導電体カード保持シートの他方の面に振り分けて重合積層されるものであって、該積層中の導電体カード保持シートの表裏に直接積層される２枚のＩＣカード保持シートの内面の中央部には、ＩＣカード保持シート同士が互いに嵌合する脱着自在の固定手段を有し、該固定手段によって２枚のＩＣカード保持シートを導電体カード保持シートの貫通孔の位置で嵌合固定されて、導電体カード保持シートを中間にして合計３枚の積層状態を積層中に保有し、ＩＣカード保持シートを３〜４枚有する場合において、導電体カード保持シートの片面に２枚のＩＣカード保持シートが上下に積層されるとき、上層側のＩＣカード保持シートの内面及び下層側のＩＣカード保持シートの外面に互いに嵌合する脱着自在の固定手段を有し、合計３〜５枚の積層状態にして携帯できることを特徴とする非接触式ＩＣカードホルダー。
【請求項１５】
固定手段が面ファスナーである請求項１４記載の非接触式ＩＣカードホルダー。
【請求項１６】
ＩＣカード保持シートが２枚であり、各ＩＣカード保持シートの長方形状の１辺は、導電体カード保持シートの同一の長さの１辺との間の屈折自在の連結部を介して連結されていて、１枚のＩＣカード保持シートは導電体カード保持シートの一方の面側に重合積層され、他の１枚のＩＣカード保持シートは導電体カード保持シートの他方の面に振り分けて重合積層されるものであって、該積層中の導電体カード保持シートの表裏に直接積層される２枚のＩＣカード保持シートの内面の中央部には、ＩＣカード保持シート同士が互いに嵌合する脱着自在の固定手段を有し、該固定手段によって２枚のＩＣカード保持シートを導電体カード保持シートの貫通孔の位置で嵌合固定されて、導電体カード保持シートを中間にして合計３枚の積層状態にして携帯できる請求項１４又は１５記載の非接触式ＩＣカードホルダー。
【手続補正２】
【補正対象書類名】明細書
【補正対象項目名】０００５
【補正方法】変更
【補正の内容】
【０００５】
本発明者らは、ＩＣカードのアンテナとリーダアンテナとの交信を遮断するのは、導電体シートがＩＣカードのリーダアンテナから磁力線が照射される側の面に密着している場合のみではない。すなわち、磁力線が照射される側の裏面側に導電体シートがピッタリと密着している場合には、ＩＣカードのアンテナとリーダアンテナとの交信を確実に遮断する知見を得て、この知見に基づき、複数のＩＣカードと１枚の導電体シートの全体をまとめて積層した状態で持ち歩くことができ、カードリーダ面にＩＣカードの１枚を使用するときは、使用すべきＩＣカードを収納したＩＣカード保持シートのみが導電体シートの積層状態になく、他のＩＣカードは全て導電体シート面と密着固定された状態でカードホルダー全体をカードリーダ面にかざすことができるカードホルダーの構造を案出して本発明を完成した。
すなわち、本発明は、
（１）２枚の長方形状のＩＣカード保持シート及び該ＩＣカード保持シートと略同寸同形の導電体カード保持シート１枚とからなり、２枚の長方形状のＩＣカード保持シートのそれぞれは、導電体カード保持シートの互いに隣接する側縁に繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの表面側に積層され、他方は導電体カード保持シートの裏面側に積層されるものであって、２枚のＩＣカード保持シートの内面には、導電体カード保持シート面を脱着自在に固定する嵌合形式の固定手段が設けてなり、該嵌合形式の固定手段がＩＣカード保持シートと導電体カード保持シートの積層時に当接する導電体カード保持シートの表面及び裏面の位置に前記嵌合形式の固定手段に嵌合する固定手段を有し、導電体カード保持シートを中間にして、導電体カード保持シートの表面側に１枚のＩＣカード保持シートを積層固定し、導電体カード保持シートの裏面側に他の１枚のＩＣカード保持シートを積層固定し、合計３枚の積層状態にして携帯できることを特徴とする非接触式ＩＣカードホルダー、
（２）２枚の長方形状のＩＣカード保持シート及び該ＩＣカード保持シートと略同寸同形の導電体カード保持シート１枚とからなり、２枚の長方形状のＩＣカード保持シートのそれぞれは、導電体カード保持シートの異なる側縁に繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は既に積層されている前記ＩＣカード保持シートの上に重ねて積層されるものであって、２枚のＩＣカード保持シートの少なくとも一方の内面の先端縁には、導電体カード保持シート面を脱着自在に固定する嵌合形式のテープ状面ファスナーの固定手段が設けてなり、導電体カード保持シートの面にＩＣカード保持シートを重ねた場合にＩＣカード保持シートの先端縁のテープ状面ファスナー形式の固定手段に嵌合するテープ状面ファスナー形式の固定手段が導電体カード保持シート面に設けられてなり、さらに、先に積層されているＩＣカード保持シートとの積層時に既に積層されているＩＣカード保持シートの外面上の該嵌合形式のテープ状面ファスナーの固定手段が当接する位置に該嵌合形式のテープ状面ファスナーの固定手段に嵌合するテープ状面ファスナーの固定手段を有し、導電体カード保持シートの内面側に、２枚のＩＣカード保持シートを２辺の連結部で折り重ねて積層固定し、合計３枚の積層状態にして携帯できることを特徴とする非接触式ＩＣカードホルダー、
（３）２枚の長方形状のＩＣカード保持シート及び該ＩＣカード保持シートと略同寸同形の導電体カード保持シート１枚とからなり、２枚の長方形状のＩＣカード保持シートのそれぞれは、長方形状の導電体カード保持シートの対向する両側縁にそれぞれ繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの片面に積層され、他方は既に積層されているＩＣカード保持シートの上に重ねて積層されるものであって、２枚のＩＣカード保持シートの少なくとも一方の内面の先端縁には、導電体カード保持シート面を脱着自在に固定する嵌合形式のテープ状面ファスナーの固定手段が設けてなり、先に積層されているＩＣカード保持シートの上に他方のＩＣカード保持シートを重ねて積層したときに、先に積層されているＩＣカード保持シートの外面において、前記嵌合形式のテープ状面ファスナーの固定手段が当接する位置に前記嵌合形式のテープ状面ファスナーの固定手段に嵌合するテープ状面ファスナーの固定手段を有し、導電体カード保持シートの内面側に、２枚のＩＣカード保持シートを左右から折り重ねて積層固定し、合計３枚の積層状態にして携帯できることを特徴とする非接触式ＩＣカードホルダー、
（４）２枚の長方形状のＩＣカード保持シート及び該ＩＣカード保持シートと略同寸同形の導電体カード保持シート１枚とからなり、２枚のＩＣカード保持シートのそれぞれの長方形状の１辺は、導電体カード保持シートの同一の長さの隣接する１辺との間の屈折自在の連結部を介して連結されてなり、２枚の長方形状のＩＣカード保持シートが導電体カード保持シートの片面に積層され、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面側の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートの内面側に、２枚のＩＣカード保持シートを縦横方向から折り重ねて積層固定し、合計３枚の積層状態にして携帯できることを特徴とする非接触式ＩＣカードホルダー、
（５）３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの表面又は裏面に、ＩＣカード保持シート面を重合積層した場合に、導電体カード保持シートの面とＩＣカード保持シート面とを脱着自在に固定する嵌合形式の固定手段を有し、導電体カード保持シートの片面に２枚のＩＣカード保持シートを重合積層するときは、さらに、既に積層されたＩＣカード保持シートの外面とその上に積層するＩＣカード保持シートの内面とを脱着自在に固定する固定手段を有し、導電体カード保持シートを中間にして、導電体カード保持シートの表面側に１〜２枚のＩＣカード保持シートを積層し、導電体カード保持シートの裏面側に１〜２枚のＩＣカード保持シートを積層し、合計４〜５枚の積層状態にして携帯できることを特徴とする非接触式ＩＣカードホルダー、
（６）３〜４枚の長方形状のＩＣカード保持シート及び該ＩＣカード保持シートと略同寸同形の導電体カード保持シート１枚とからなり、各ＩＣカード保持シートの長方形状の１辺は、導電体カード保持シートの同一の長さの１辺との間の屈折自在の連結部を介して連結されてなり、３〜４枚のＩＣカード保持シートの中の２枚のＩＣカード保持シートは導電体カード保持シートの一方の面側に重合積層され、残余の１〜２枚のＩＣカード保持シートは導電体カード保持シートの他方の面に重合積層されるものであって、導電体カード保持シートの面に２枚のＩＣカード保持シートが積層重合される場合は、該２枚のＩＣカード保持シートは導電体カード保持シートの隣接する２辺に連結されていて、ＩＣカード保持シートから導電体カード保持シートを介して他方のＩＣカード保持シートにＬ字型に連結されてなり、該２枚のＩＣカード保持シートの先端縁には、導電体カード保持シートの面と固定する嵌合形式の脱着自在の固定手段を有し、２枚のＩＣカード保持シートの１枚は、既に積層されている他方のＩＣカード保持シートの上を長方形の縦横を交叉して跨ぐように積層されるものであって、跨ぐように積層されるＩＣカード保持シートの内面の先端縁には、導電体カード保持シート面を脱着自在に固定する嵌合形式の固定手段を有し、該嵌合形式の固定手段が積層時に対向して当接する導電体カード保持シートの位置にＩＣカード保持シートの前記固定手段に嵌合する固定手段を有し、導電体カード保持シートを中間にして、導電体カード保持シートの表面側に１〜２枚のＩＣカード保持シートを固定し、導電体カード保持シートの裏面側に１〜２枚のＩＣカード保持シートを固定し、合計４〜５枚の積層状態にして携帯できることを特徴とする非接触式ＩＣカードホルダー、
（７）保持シート面の嵌合形式の嵌合固定手段が、１組のテープ状面ファスナーである(４)〜(６)項のいずれか記載の非接触式ＩＣカードホルダー、
（８）保持シート面の嵌合形式の固定手段が１組の凹凸条嵌合型ジッパーである(４)〜(６)項のいずれか記載の非接触式ＩＣカードホルダー、
（９）導電体カード保持シートの導電体カードが中央部に孔がある金属板である(１)〜(８)項のいずれか記載の非接触式ＩＣカードホルダー、
（１０）２枚の長方形状のＩＣカード保持シート及び該ＩＣカード保持シートと略同寸同形の導電体カード保持シートであって、中央部に孔がある金属板を有する導電体カード保持シート１枚とからなり、２枚の長方形状のＩＣカード保持シートのそれぞれは、導電体カード保持シートの互いに対向する側縁に繋がっていて、各ＩＣカード保持シートの長方形状の１辺は、導電体カード保持シートの同一の長さの１辺との間の屈折自在の連結部を介して連結されてなり、２枚の長方形状のＩＣカード保持シートの一方が導電体カード保持シートの表面側に積層され、他方は導電体カード保持シートの裏面側に積層されるものであって、２枚のＩＣカード保持シートの内面には、導電体カード保持シート面を脱着自在に固定する嵌合形式の固定手段が設けてなり、該嵌合形式の固定手段がＩＣカード保持シートと導電体カード保持シートの積層時に当接する導電体カード保持シートの表面及び裏面の位置に前記嵌合形式の固定手段に嵌合する固定手段を有し、導電体カード保持シートを中間にして、導電体カード保持シートの表面側に１枚のＩＣカード保持シートを積層固定し、導電体カード保持シートの裏面側に他の１枚のＩＣカード保持シートを積層固定し、合計３枚の積層状態にして携帯できることを特徴とする非接触式ＩＣカードホルダー、
（１１）嵌合形式の固定手段が保持シート面の周縁に設けた(１)〜(１０)項のいずれか記載の非接触式ＩＣカードホルダー、
（１２）ＩＣカード保持シート及び導電体カード保持シートの材質がポリプロピレン樹脂シートである(１)〜(１１)項のいずれか記載の非接触式ＩＣカードホルダー、
（１３）ＩＣカード保持シート及び導電体カード保持シートの材質が皮又は合成皮革シートである(１)〜(１２)項のいずれか記載の非接触式ＩＣカードホルダー、
（１４）２〜４枚の長方形状のＩＣカード保持シート及び該ＩＣカード保持シートと略同寸同形の中央部に貫通孔を有する導電体カード保持シート１枚とからなり、各ＩＣカード保持シートの長方形状の１辺は、導電体カード保持シートの同一の長さの１辺との間の屈折自在の連結部を介して連結されていて、２〜４枚のＩＣカード保持シートの中の１〜２枚のＩＣカード保持シートは導電体カード保持シートの一方の面側に重合積層され、さらに、１〜２枚のＩＣカード保持シートは導電体カード保持シートの他方の面に振り分けて重合積層されるものであって、該積層中の導電体カード保持シートの表裏に直接積層される２枚のＩＣカード保持シートの内面の中央部には、ＩＣカード保持シート同士が互いに嵌合する脱着自在の固定手段を有し、該固定手段によって２枚のＩＣカード保持シートを導電体カード保持シートの貫通孔の位置で嵌合固定されて、導電体カード保持シートを中間にして合計３枚の積層状態を積層中に保有し、ＩＣカード保持シートを３〜４枚有する場合において、導電体カード保持シートの片面に２枚のＩＣカード保持シートが上下に積層されるとき、上層側のＩＣカード保持シートの内面及び下層側のＩＣカード保持シートの外面に互いに嵌合する脱着自在の固定手段を有し、合計３〜５枚の積層状態にして携帯できることを特徴とする非接触式ＩＣカードホルダー、
（１５）固定手段が面ファスナーである(１４)項記載の非接触式ＩＣカードホルダー、及び
（１６）ＩＣカード保持シートが２枚であり、各ＩＣカード保持シートの長方形状の１辺は、導電体カード保持シートの同一の長さの１辺との間の屈折自在の連結部を介して連結されていて、１枚のＩＣカード保持シートは導電体カード保持シートの一方の面側に重合積層され、他の１枚のＩＣカード保持シートは導電体カード保持シートの他方の面に振り分けて重合積層されるものであって、該積層中の導電体カード保持シートの表裏に直接積層される２枚のＩＣカード保持シートの内面の中央部には、ＩＣカード保持シート同士が互いに嵌合する脱着自在の固定手段を有し、該固定手段によって２枚のＩＣカード保持シートを導電体カード保持シートの貫通孔の位置で嵌合固定されて、導電体カード保持シートを中間にして合計３枚の積層状態にして携帯できる(１４)又は(１５)項記載の非接触式ＩＣカードホルダー、
を提供するものである。
さらに、本発明の好ましい態様として、
（１７）ＩＣカード保持シートが長方形状シートの３辺を閉鎖してなる袋体であり、該袋体は、長方形状の１辺に開口部を有するものである(１)〜(１６)項記載の非接触式ＩＣカードホルダー、
（１８）ＩＣカード保持シート及び導電体カード保持シートが、布である(１)〜(１７)項記載の非接触式ＩＣカードホルダー、
（１９）導電体カード保持シートの導電体が厚さ０.０５〜３ｍｍの金属板である(１)〜(１８)項記載の非接触式ＩＣカードホルダー、及び
（２０）導電体カードが金属アルミである(１)〜(１９)項記載の非接触式ＩＣカードホルダー、
を挙げることができる。